(57)【要約】  アクティブモード通信の間に、ワイヤレスデバイスに周波数優先度リストを通信することを促進するシステムおよび方法論を説明する。新しいリスト（または、リストに対する更新）が発生または取得されたときに、および／または、これに類するときに、タイマーにしたがってリストを通信することができる。この点に関して、デバイスは、アクセスポイントに対する接続が解放または消失される前に、周波数優先度リストを受信することができる。接続解放またはリンク失敗の際に、デバイスは、周波数優先度リストを使用して、ページング信号を受信するための周波数を監視することができる。加えて、周波数優先度リストは、周波数に関連するアクセスポイントのタイプを特定する、周波数に対応するレイヤタイプを含むことができる。レイヤタイプにしたがって、ページング信号に対して、ある周波数を避けるまたは監視することができる。【選択図】    図５
2011530894.tif 000002
【特許請求の範囲】
【請求項１】
方法において、
アクセスポイントとのアクティブモード通信を確立することと、
前記アクティブモード通信の間に、前記アクセスポイントから周波数優先度リストを受信することと、
ページング信号を受信するための１つ以上の周波数を決定する際に、後で使用するために、前記周波数優先度リストを記憶することとを含む方法。
【請求項２】
前記周波数優先度リストを受信することは、無線リソース制御（ＲＲＣ）レイヤメッセージ中で、前記アクセスポイントから前記周波数優先度リストを受信することを含む請求項１記載の方法。
【請求項３】
前記ＲＲＣレイヤメッセージ中で前記周波数優先度リストを受信することは、ＲＲＣレイヤ接続再構成メッセージ中で、前記アクセスポイントから前記周波数優先度リストを受信することを含む請求項２記載の方法。
【請求項４】
前記周波数優先度リストを受信することは、関係する優先度およびレイヤタイプを持つ周波数のリストを含む前記周波数優先度リストを受信することを含む請求項１記載の方法。
【請求項５】
前記アクティブモード通信からアイドルモード通信へと切り替えることをさらに含む請求項４記載の方法。
【請求項６】
関係する優先度およびレイヤタイプに少なくとも部分的に基づいて、１つ以上のページング信号に対して、前記周波数優先度リスト中の周波数を監視することをさらに含む請求項５記載の方法。
【請求項７】
少なくとも１つのプロセッサと、前記少なくとも１つのプロセッサに結合されているメモリとを具備するワイヤレス通信装置において、
前記少なくとも１つのプロセッサは、
アクティブモードにおいて、アクセスポイントと通信するようにと、
前記アクティブモードで通信している間に、前記アクセスポイントから周波数優先度リストを受信するようにと、
ページング信号を受信するための１つ以上の周波数を決定する際に、後で利用するために、前記周波数優先度リストを記憶させるように構成されているワイヤレス通信装置。
【請求項８】
前記少なくとも１つのプロセッサは、無線リソース制御（ＲＲＣ）レイヤメッセージ中で、前記周波数優先度リストを受信する請求項７記載のワイヤレス通信装置。
【請求項９】
前記少なくとも１つのプロセッサは、ＲＲＣ再構成メッセージ中で、前記周波数優先度リストを受信する請求項８記載のワイヤレス通信装置。
【請求項１０】
前記周波数優先度リストは、対応する優先度およびレイヤタイプとともに複数の周波数を含む請求項７記載のワイヤレス通信装置。
【請求項１１】
前記少なくとも１つのプロセッサは、前記アクティブモードからアイドル通信モードへと切り替えるようにさらに構成されている請求項１０記載のワイヤレス通信装置。
【請求項１２】
装置において、
アクティブモードにおいて、アクセスポイントと通信する手段と、
前記アクティブモードにおいて、前記アクセスポイントから周波数優先度リストを受信し、アイドル通信モードにおいて後で利用するために、前記リストを記憶する手段とを具備する装置。
【請求項１３】
前記アクセスポイントから前記周波数優先度リストを受信する手段は、無線リソース制御（ＲＲＣ）レイヤメッセージ中で、前記アクセスポイントから前記周波数優先度リストを受信する請求項１２記載の装置。
【請求項１４】
前記ＲＲＣレイヤメッセージは、ＲＲＣ接続再構成メッセージである請求項１３記載の装置。
【請求項１５】
前記周波数優先度リストは、１つ以上の周波数と、関係する優先度およびレイヤタイプとを含む請求項１２記載の装置。
【請求項１６】
前記アクセスポイントと通信する手段は、前記アクティブモードから前記アイドル通信モードへと切り替える請求項１５記載の装置。
【請求項１７】
コンピュータ読取可能媒体を具備するコンピュータプログラムプロダクトにおいて、
前記コンピュータ読取可能媒体は、
アクセスポイントとのアクティブモード通信を前記少なくとも１つのコンピュータに確立させるためのコードと、
前記アクティブモード通信の間に、前記少なくとも１つのコンピュータに、前記アクセスポイントから周波数優先度リストを受信させるためのコードと、
ページング信号を受信するための１つ以上の周波数を決定する際に、後で使用するために、前記周波数優先度リストを前記少なくとも１つのコンピュータに記憶させるためのコードとを含むコンピュータプログラムプロダクト。
【請求項１８】
前記少なくとも１つのコンピュータに前記周波数優先度リストを受信させるためのコードは、無線リソース制御（ＲＲＣ）レイヤメッセージ中で、前記アクセスポイントから前記周波数優先度リストを受信する請求項１７記載のコンピュータプログラムプロダクト。
【請求項１９】
前記ＲＲＣレイヤメッセージ中で、前記少なくとも１つのコンピュータに前記周波数優先度リストを受信させるためのコードは、ＲＲＣレイヤ接続再構成メッセージ中で、前記周波数優先度リストを受信する請求項１８記載のコンピュータプログラムプロダクト。
【請求項２０】
前記周波数優先度リストは、関係する優先度およびレイヤタイプを持つ周波数のリストを含む請求項１７記載のコンピュータプログラムプロダクト。
【請求項２１】
装置において、
アクティブモードにおいて、アクセスポイントと通信する通信モードコンポーネントと、
前記アクティブモードにおいて、前記アクセスポイントから周波数優先度リストを受信し、アイドル通信モードにおいて後で利用するために、前記リストを記憶する周波数優先度リストコンポーネントとを具備する装置。
【請求項２２】
前記周波数優先度リストコンポーネントは、無線リソース制御（ＲＲＣ）レイヤメッセージ中で、前記アクセスポイントから前記周波数優先度リストを受信する請求項２１記載の装置。
【請求項２３】
前記ＲＲＣレイヤメッセージは、ＲＲＣ接続再構成メッセージである請求項２２記載の装置。
【請求項２４】
前記周波数優先度リストは、１つ以上の周波数と、関係する優先度およびレイヤタイプとを含む請求項２１記載の装置。
【請求項２５】
方法において、
アクティブモードで通信している移動体デバイスとの接続を確立することと、
前記移動体デバイスに関連する周波数優先度リストを受信することと、
接続再構成メッセージ中で、前記移動体デバイスに前記周波数優先度リストを送信することとを含む方法。
【請求項２６】
前記周波数優先度リストを送信することは、無線リソース制御（ＲＲＣ）レイヤメッセージ中で、前記移動体デバイスに前記周波数優先度リストを送信することを含む請求項２５記載の方法。
【請求項２７】
前記周波数優先度リストを受信することは、移動性管理エンティティ（ＭＭＥ）または他のコアネットワークコンポーネントから、前記周波数優先度リストを受信することを含む請求項２５記載の方法。
【請求項２８】
前記周波数優先度リストを受信することは、前記移動体デバイス、移動性管理エンティティ（ＭＭＥ）、または他のコアネットワークコンポーネントから受信した１つ以上のパラメータに少なくとも部分的に基づいて、前記周波数優先度リストを発生させることを含む請求項２５記載の方法。
【請求項２９】
前記周波数優先度リストを受信することは、構成から前記周波数優先度リストを取得することを含む請求項２５記載の方法。
【請求項３０】
前記周波数優先度リスト中の周波数を前記周波数にわたって動作しているアクセスポイントのタイプに関係付けるレイヤタイプを、前記周波数優先度リスト中に挿入することをさらに含む請求項２５記載の方法。
【請求項３１】
移動性管理エンティティ（ＭＭＥ）または他のコアネットワークコンポーネントから、前記レイヤタイプを受信することをさらに含む請求項３０記載の方法。
【請求項３２】
少なくとも１つのプロセッサと、前記少なくとも１つのプロセッサに結合されているメモリとを具備するワイヤレス通信装置において、
前記少なくとも１つのプロセッサは、
アクティブモードで動作している移動体デバイスと通信するようにと、
前記移動体デバイスに関連する周波数優先度リストを取得するようにと、
接続再構成メッセージ中で、前記移動体デバイスに前記周波数優先度リストを送信するように構成されているワイヤレス通信装置。
【請求項３３】
前記少なくとも１つのプロセッサは、無線リソース制御（ＲＲＣ）レイヤメッセージ中で、前記移動体デバイスに前記周波数優先度リストを送信する請求項３２記載のワイヤレス通信装置。
【請求項３４】
前記少なくとも１つのプロセッサは、移動性管理エンティティ（ＭＭＥ）または他のコアネットワークコンポーネントから、前記移動体デバイスに関連する前記周波数優先度リストを取得する請求項３２記載のワイヤレス通信装置。
【請求項３５】
前記少なくとも１つのプロセッサは、前記移動体デバイス、移動性管理エンティティ（ＭＭＥ）、または他のコアネットワークコンポーネントから受信した１つ以上のパラメータに少なくとも部分的に基づいて、前記周波数優先度リストを発生させることにより、少なくとも部分的に前記周波数優先度リストを取得する請求項３２記載のワイヤレス通信装置。
【請求項３６】
前記少なくとも１つのプロセッサは、構成から前記周波数優先度リストを取得する請求項３２記載のワイヤレス通信装置。
【請求項３７】
装置において、
移動体デバイスとのアクティブモード通信を確立する手段と、
前記移動体デバイスに関連する周波数優先度リストを取得する手段と、
接続再構成メッセージ中で、前記移動体デバイスに前記周波数優先度リストを送信する手段とを具備する装置。
【請求項３８】
前記周波数優先度リストを送信する手段は、無線リソース制御（ＲＲＣ）レイヤメッセージ中で、前記移動体デバイスに前記周波数優先度リストを送信する請求項３７記載の装置。
【請求項３９】
前記周波数優先度リストを取得する手段は、移動性管理エンティティ（ＭＭＥ）または他のコアネットワークコンポーネントから、前記周波数優先度リストを受信する請求項３７記載の装置。
【請求項４０】
前記周波数優先度リストを取得する手段は、前記移動体デバイス、移動性管理エンティティ（ＭＭＥ）、または他のコアネットワークコンポーネントから受信した１つ以上のパラメータに少なくとも部分的に基づいて、前記リストを発生させる請求項３７記載の装置。
【請求項４１】
前記周波数優先度リストを取得する手段は、構成から前記周波数優先度リストを受信する請求項３７記載の装置。
【請求項４２】
コンピュータ読取可能媒体を具備するコンピュータプログラムプロダクトにおいて、
前記コンピュータ読取可能媒体は、
アクティブモードで通信している移動体デバイスとの接続を少なくとも１つのコンピュータに確立させるためのコードと、
前記移動体デバイスに関連する周波数優先度リストを前記少なくとも１つのコンピュータに受信させるためのコードと、
前記少なくとも１つのコンピュータに、接続再構成メッセージ中で、前記移動体デバイスに向けて前記周波数優先度リストを送信させるためのコードとを含むコンピュータプログラムプロダクト。
【請求項４３】
前記接続再構成メッセージは、無線リソース制御（ＲＲＣ）レイヤメッセージである請求項４２記載のコンピュータプログラムプロダクト。
【請求項４４】
前記周波数優先度リストを前記少なくとも１つのコンピュータに受信させるためのコードは、移動性管理エンティティ（ＭＭＥ）または他のコアネットワークコンポーネントから、前記周波数優先度リストを受信する請求項４２記載のコンピュータプログラムプロダクト。
【請求項４５】
前記周波数優先度リストを前記少なくとも１つのコンピュータに受信させるためのコードは、前記移動体デバイス、移動性管理エンティティ（ＭＭＥ）、または他のコアネットワークコンポーネントから受信した１つ以上のパラメータに少なくとも部分的に基づいて、前記周波数優先度リストを発生させる請求項４２記載のコンピュータプログラムプロダクト。
【請求項４６】
前記周波数優先度リストを前記少なくとも１つのコンピュータに受信させるためのコードは、構成から前記周波数優先度リストを受信する請求項４２記載のコンピュータプログラムプロダクト。
【請求項４７】
装置において、
移動体デバイスとのアクティブモード通信を初期化する無線リソース制御（ＲＲＣ）接続確立コンポーネントと、
前記移動体デバイスに関連する周波数優先度リストを取得する周波数優先度リスト管理コンポーネントと、
接続再構成メッセージ中で、前記移動体デバイスに前記周波数優先度リストを送信する周波数優先度リスト提供コンポーネントとを具備する装置。
【請求項４８】
前記周波数優先度リスト提供コンポーネントは、無線リソース制御（ＲＲＣ）レイヤメッセージ中で、前記周波数優先度リストを送信する請求項４７記載の装置。
【請求項４９】
周波数優先度リスト管理コンポーネントは、移動性管理エンティティ（ＭＭＥ）または他のコアネットワークコンポーネントから、前記周波数優先度リストを受信する請求項４７記載の装置。
【請求項５０】
前記周波数優先度リスト管理コンポーネントは、前記移動体デバイス、前記移動性管理エンティティ（ＭＭＥ）、または他のコアネットワークコンポーネントから受信した１つ以上のパラメータに少なくとも部分的に基づいて、前記リストを発生させる請求項４７記載の装置。
【発明の詳細な説明】
【米国特許法第１１９条の下での優先権の主張】
【０００１】
本出願は、“周波数優先度リストを更新するための方法および装置”と題し、２００８年８月８日に出願された米国仮出願シリアル番号第６１／０８７，５５２号の利益を主張し、この出願は、本出願の譲受人に譲渡され、ここにそのすべてが参照により組み込まれている。
【背景】
【０００２】
１．分野
本開示は、一般的にワイヤレス通信に関し、さらに詳細には、周波数優先度リストに関する。
【０００３】
２．背景
ワイヤレス通信システムは、例えば、音声、データ等のような、さまざまなタイプの通信コンテンツを提供するように、幅広く展開されている。典型的なワイヤレス通信システムは、利用可能なシステムリソース（例えば、帯域幅、送信電力・・・）を共有することにより、複数のユーザとの通信をサポートすることが可能である多元接続システムであってもよい。このような多元接続システムの例には、コード分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、およびこれらに類するものが含まれる。付加的に、システムは、第３世代パートナーシッププロジェクト（３ＧＰＰ）や、３ＧＰＰロングタームエボリューション（ＬＴＥ）や、ウルトラモバイルブロードバンド（ＵＭＢ）等のような規格に準拠することができる。
【０００４】
一般的に、ワイヤレス多元接続通信システムは、複数のワイヤレスデバイスに対する通信を同時にサポートできる。各ワイヤレスデバイスは、フォワードリンク上およびリバースリンク上の送信を介して、１つ以上のアクセスポイント（例えば、基地局、フェムトセル、ピコセル、リレーノード、および／またはこれらの類するもの）と通信することができる。フォワードリンク（またはダウンリンク）は、アクセスポイントからワイヤレスデバイスへの通信リンクのことを指し、リバースリンク（またはアップリンク）は、ワイヤレスデバイスからアクセスポイントへの通信リンクのことを指す。さらに、単一入力単一出力（ＳＩＳＯ）システムや、複数入力単一出力（ＭＩＳＯ）システムや、または、複数入力複数出力（ＭＩＭＯ）システム等を介して、ワイヤレスデバイスとアクセスポイントとの間の通信を確立することができる。付加的に、ワイヤレスデバイスは、他のワイヤレスデバイスと（および／または、アクセスポイントは、他のアクセスポイントと）ピア・ツー・ピアワイヤレスネットワーク構成で通信することができる。
【０００５】
ワイヤレスデバイスは、アイドルモードおよびアクティブモードで動作することができ、例えば、ここで、アイドルモードのワイヤレスデバイスは、接続されたままであるための最低レベルにおいて、アクセスポイントと通信するが、ワイヤレスネットワークに対するアクセスを必ずしも受信する必要はない。３ＧＰＰ ＬＴＥでは、例えば、アクセスポイントからアクティブ接続を解放して、アイドルモードに移行する際に、ワイヤレスデバイスは、ワイヤレスデバイスに特有の周波数優先度リストをアクセスポイントから受信することができる。周波数優先度リストは、アクティブモードに切り替えるようにワイヤレスデバイスに要求するページングメッセージを、ワイヤレスデバイスがワイヤレスネットワークから受信できる周波数であって、アクセスポイントとの接続を確立することができる周波数を示している。加えて、他の周波数より前に、または、他の周波数の代わりに、何らかの周波数をデバイスによって評価させるようにリストを優先順位付けすることができ、優先順位付けは、１つの例では、信号強度に基づくことができる。接続解放において、周波数優先度リストが送られるので、リンク失敗を経験するワイヤレスデバイスには、現在のリストが提供されないことがある。
【概要】
【０００６】
以下では、このような側面の基本的な理解を提供するために、クレームされている主題事項のさまざまな側面の簡略化した概要を提示する。この概要は、すべての考えられる側面の広範囲にわたる概略ではなく、キーエレメントまたは重要なエレメントを識別すること、または、このような側面の範囲を詳細に述べることのどちらも意図していない。この唯一の目的は、後に提示するさらに詳細な説明に対する前置きとして、開示する側面のうちのいくつかの概念を簡略化した形態で提示することである。
【０００７】
１つ以上の実施形態およびそれらの対応する開示にしたがって、更新された優先度リストをワイヤレスデバイスが確実に有するために、アクティブ通信モード中のワイヤレスデバイスに対して、周波数優先度リストおよび関連する情報の送信を促進することに関するさまざまな側面を説明する。１つの例では、無線リソース制御（ＲＲＣ）レイヤメッセージを使用して、リストを送信することができる。これは、新しいメッセージ、または、接続再構成メッセージ（例えば、ＲＲＣ接続再構成）のような既存のメッセージとすることができる。この点に関して、ワイヤレスデバイスは、接続解放を待たなければならないというよりむしろ、アクティブモードにおいてアクセスポイントに接続されている間に、更新されたリストを受信することができる。付加的に、１つの例では、周波数優先度リスト中の特定の周波数に対してレイヤタイプを加えて、閉じられた加入者グループ（ＣＳＧ）および／またはこれに類するもののような、セルのタイプに関係付けられている周波数を示すことができる。
【０００８】
関連する側面にしたがうと、アクセスポイントとのアクティブモード通信を確立することと、アクティブモード通信の間に、アクセスポイントから周波数優先度リストを受信することとを含む方法が提供されている。方法はまた、ページング信号を受信するための１つ以上の周波数を決定する際に、後で使用するために、周波数優先度リストを記憶することを含む。
【０００９】
別の側面は、ワイヤレス通信装置に関するものである。ワイヤレス通信装置は、アクティブモードにおいて、アクセスポイントと通信するようにと、アクティブモードで通信している間に、アクセスポイントから周波数優先度リストを受信するように構成されている少なくとも１つのプロセッサを備えることができる。少なくとも１つのプロセッサは、さらに、ページング信号を受信するための１つ以上の周波数を決定する際に、後で利用するために、周波数優先度リストを記憶させるように構成されている。ワイヤレス通信装置はまた、少なくとも１つのプロセッサに結合されているメモリを備えている。
【００１０】
さらに別の側面は、装置に関するものである。アクティブモードにおいて、アクセスポイントと通信する手段と、アクティブモードにおいて、アクセスポイントから周波数優先度リストを受信し、アイドル通信モードにおいて後で利用するために、リストを記憶する手段とを備えている。
【００１１】
なお別の側面は、コンピュータプログラムプロダクトに関するものであり、コンピュータプログラムプロダクトは、コンピュータ読取可能媒体を有し、コンピュータ読取可能媒体は、アクセスポイントとのアクティブモード通信を少なくとも１つのコンピュータに確立させるためのコードを含んでいる。コンピュータ読取可能媒体は、アクティブモード通信の間に、少なくとも１つのコンピュータに、アクセスポイントから周波数優先度リストを受信させるためのコードと、ページング信号を受信するための１つ以上の周波数を決定する際に、後で使用するために、周波数優先度リストを少なくとも１つのコンピュータに記憶させるためのコードとを含んでいる。
【００１２】
さらに、付加的な側面は、アクティブモードにおいて、アクセスポイントと通信する通信モードコンポーネントを備える装置に関するものである。装置は、さらに、アクティブモードにおいて、アクセスポイントから周波数優先度リストを受信し、アイドル通信モードにおいて後で利用するために、リストを記憶する周波数優先度リストコンポーネントを備えている。
【００１３】
さらなる側面にしたがうと、アクティブモードで通信している移動体デバイスとの接続を確立することと、移動体デバイスに関連する周波数優先度リストを受信することとを含む方法が提供されている。方法は、付加的に、接続再構成メッセージ中で、移動体デバイスに周波数優先度リストを送信することを含んでいる。
【００１４】
別の側面は、ワイヤレス通信装置に関するものである。ワイヤレス通信装置は、アクティブモードで動作している移動体デバイスと通信するように構成されている少なくとも１つのプロセッサを備えることができる。少なくとも１つのプロセッサは、さらに、移動体デバイスに関連する周波数優先度リストを取得するようにと、接続再構成メッセージ中で、移動体デバイスに周波数優先度リストを送信するように構成されている。ワイヤレス通信装置はまた、少なくとも１つのプロセッサに結合されているメモリを備えている。
【００１５】
さらに別の側面は、装置に関するものである。装置は、移動体デバイスとのアクティブモード通信を確立する手段と、移動体デバイスに関連する周波数優先度リストを取得する手段とを備えている。装置はまたは、接続再構成メッセージ中で、移動体デバイスに周波数優先度リストを送信する手段を備えている。
【００１６】
なお別の側面は、コンピュータプログラムプロダクトに関するものであり、コンピュータプログラムプロダクトはコンピュータ読取可能媒体を有し、コンピュータ読み取り可能媒体は、アクティブモードで通信している移動体デバイスとの接続を少なくとも１つのコンピュータに確立させるためのコードを備えている。コンピュータ読取可能媒体はまた、移動体デバイスに関連する周波数優先度リストを少なくとも１つのコンピュータに受信させるためのコードと、少なくとも１つのコンピュータに、接続再構成メッセージ中で、移動体デバイスに向けて周波数優先度リストを送信させるためのコードとを備えることができる。
【００１７】
さらに、付加的な側面は、移動体デバイスとのアクティブモード通信を初期化するＲＲＣ接続確立コンポーネントと、移動体デバイスに関連する周波数優先度リストを取得する周波数優先度リスト管理コンポーネントとを備える装置に関するものである。装置は、さらに、接続再構成メッセージ中で、移動体デバイスに前記周波数優先度リストを送信する周波数優先度リスト提供コンポーネントを備えることができる。
【００１８】
先の目的および関連する目的を達成するために、１つ以上の実施形態は、後に完全に説明する特徴、および、特許請求の範囲中で特に指摘する特徴を含んでいる。以下の説明および添付図面により、１つ以上の実施形態のある例示的な側面を詳細に述べる。しかしながら、これらの側面は、さまざまな実施形態の原理を用いることができるさまざまな方法のうちのいくつかのものを示しているが、説明する実施形態は、このようなすべての側面およびそれらの均等物を含むことを意図している。
【図面の簡単な説明】
【００１９】
【図１】図１は、アクティブ通信モードにおいて、周波数優先度リストを通信するためのシステムのブロックダイヤグラムである。
【図２】図２は、ワイヤレス通信環境内で用いるための例示的な通信装置の例である。
【図３】図３は、アクティブ通信モード中のデバイスに対して周波数優先度リストの提供を行う例示的なワイヤレス通信ネットワークを示している。
【図４】図４は、アクセスポイントと通信して、周波数優先度リストを受信する例示的なワイヤレス通信システムを示している。
【図５】図５は、アクティブ通信モードにおいて、周波数優先度リストを受信し、アクティブ通信モードで受信した周波数優先度リストを記憶する例示的な方法論のフローダイヤグラムである。
【図６】図６は、ページング信号に対して、周波数を監視しているときに、周波数優先度リスト中のレイヤタイプを利用する例示的な方法論のフローダイヤグラムである。
【図７】図７は、アクティブ通信モード中のデバイスに周波数優先度リストを提供する例示的な方法論のフローダイヤグラムである。
【図８】図８は、アクティブモードで通信している間に周波数優先度リストを受信し、アイドル通信モードであるときにリストを利用する例示的な装置のブロックダイヤグラムである。
【図９】図９は、アクティブモードで通信している移動体デバイスへの周波数優先度リストの送信を促進する例示的な装置のブロックダイヤグラムである。
【図１０】図１０は、ここで説明する機能性のさまざまな側面を実現するために利用できる例示的なワイヤレス通信デバイスのブロックダイヤグラムである。
【図１１】図１１は、ここで説明する機能性のさまざまな側面を実現するために利用できる例示的なワイヤレス通信デバイスのブロックダイヤグラムである。
【図１２】図１２は、ここで述べるさまざまな側面にしたがった、例示的なワイヤレス多元接続通信システムを示している。
【図１３】図１３は、ここで述べるさまざまな側面にしたがった、例示的なワイヤレス通信システムを示している。
【図１４】図１４は、ここで説明する側面にしたがった、例示的な通信システムを示している。
【図１５】図１５は、ここで述べるさまざまな側面にしたがった、例示的なワイヤレスカバレッジマップを示している。
【図１６】図１６は、ここで説明するさまざまな側面が、その中で機能することができる例示的なワイヤレス通信システムを示すブロックダイヤグラムである。
【詳細な説明】
【００２０】
図面を参照して、ここで、クレームされている主題事項のさまざまな側面を説明し、ここで、同一の参照番号は、全体を通して、同一のエレメントを指すように使用されている。以下の説明では、説明する目的のために、１つ以上の側面の完全な理解を提供するために、多くの特定の詳細を述べている。しかしながら、これらの特定の詳細がなくても、このような側面を実施できることは明白である。他の例では、１つ以上の側面の説明を促進するために、よく知られている構造およびデバイスを、ブロックダイヤグラムの形態で示している。
【００２１】
本出願で使用するように、用語“コンポーネント”、“モジュール”、“システム”、およびこれらに類するものは、ハードウェアや、ファームウェアや、ハードウェアとソフトウェアとの組み合わせや、ソフトウェアや、または実行中のソフトウェアのいずれかである、コンピュータ関連エンティティを指すことを意図している。例えば、コンポーネントは、これらには限定されないが、プロセッサ上で動作しているプロセス、集積回路、オブジェクト、実行ファイル、実行のスレッド、プログラム、および／または、コンピュータとすることができる。実例として、コンピューティングデバイス上で動作しているアプリケーションとコンピューティングデバイスとの双方をコンポーネントとすることができる。１つ以上のコンポーネントは、実行のプロセスおよび／またはスレッド内に存在していてもよく、コンポーネントは、１つのコンピュータ上に局所化されていてもよく、および／または、２つ以上のコンピュータ間に分散されていてもよい。加えて、これらのコンポーネントは、その上にさまざまなデータ構造を記憶させているさまざまなコンピュータ読取可能媒体から実行することができる。コンポーネントは、１つ以上のデータパケット（例えば、ローカルシステム中の、分散システム中の別のコンポーネントと対話する、および／または、インターネットのようなネットワークを通して、信号によって他のシステムと対話する、１つのコンポーネントからのデータ）を有する信号にしたがうような、ローカルおよび／または遠隔のプロセスによって通信することができる。
【００２２】
さらに、ワイヤレス端末および／または基地局に関連して、さまざまな側面をここで説明する。ワイヤレス端末は、音声および／またはデータ接続性をユーザに提供するデバイスを指すことができる。ワイヤレス端末は、ラップトップコンピュータまたはデスクトップコンピュータのようなコンピューティングデバイスに接続することができ、あるいは、パーソナルデジタルアシスタント（ＰＤＡ）のような自立型デバイスとすることができる。ワイヤレス端末はまた、システムや、加入者ユニットや、加入者局や、移動局や、移動体や、遠隔局や、アクセスポイントや、遠隔端末や、アクセス端末や、ユーザ端末や、ユーザエージェントや、ユーザデバイスや、または、ユーザ機器（ＵＥ）と呼ぶことができる。ワイヤレス端末は、加入者局や、ワイヤレスデバイスや、セルラ電話機や、ＰＣＳ電話機や、コードレス電話機や、セッション開始プロトコル（ＳＩＰ）電話機や、ワイヤレスローカルループ（ＷＬＬ）局や、パーソナルデジタルアシスタント（ＰＤＡ）や、ワイヤレス接続能力を有するハンドヘルドデバイスや、または、ワイヤレスモデムに接続されている他の処理デバイスとすることができる。基地局（例えば、アクセスポイントまたは進化ノードＢ（ｅＮＢ））は、エアインターフェースにわたって、１つ以上のセクターを通して、ワイヤレス端末と通信する、アクセスネットワーク中のデバイスを指すことができる。基地局は、受信したエアインターフェースフレームをＩＰパケットに変換することにより、ワイヤレス端末と、アクセスネットワークの残りのものとの間のルータとして機能することができ、アクセスネットワークは、インターネットプロトコル（ＩＰ）ネットワークを含むことができる。基地局はまた、エアインターフェースに対する属性の管理を調整する。
【００２３】
さらに、ここで説明するさまざまな機能は、ハードウェアで、ソフトウェアで、ファームウェアで、または、これらのものを組み合わせた任意のもので実現することができる。ソフトウェアで実現した場合、機能は、１つ以上の命令またはコードとして、コンピュータ読取可能媒体上に記憶してもよく、あるいは、１つ以上の命令またはコードとして、コンピュータ読取可能媒体上に送信してもよい。コンピュータ読取可能媒体は、１つの場所から別の場所へのコンピュータプログラムの転送を促進する何らかの媒体を含むコンピュータ記憶媒体および通信媒体の双方を含む。記憶媒体は、コンピュータによりアクセスできる何らかの利用可能な媒体とすることができる。例として、これらに限定されないが、このようなコンピュータ読取可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、コンピュータによりアクセスでき、命令またはデータ構造の形態で所望のプログラムコードを運ぶまたは記憶するために使用できる他の何らかの媒体を含むことができる。また、あらゆる接続は、コンピュータ読取可能媒体と適切に呼ばれる。例えば、ソフトウェアが、同軸ケーブルや、光ファイバケーブルや、撚り対や、デジタル加入者回線（ＤＳＬ）や、あるいは、赤外線、無線、およびマイクロ波のようなワイヤレス技術を使用して、ウェブサイト、サーバ、または他の遠隔ソースから送信される場合には、同軸ケーブル、光ファイバケーブル、撚り対、ＤＳＬ、あるいは、赤外線、無線、およびマイクロ波のようなワイヤレス技術は、媒体の定義に含まれる。ここで使用するようなディスク（ｄｉｓｋおよびｄｉｓｃ）は、コンパクトディスク（ＣＤ）、レーザディスク（登録商標）、光ディスク、デジタル多用途ディスク（ＤＶＤ）、フロッピー（登録商標）ディスク、および、ブルーレイ（登録商標）ディスク（ＢＤ）を含むが、一般的に、ディスク（ｄｉｓｋ）は、データを磁気的に再生する一方で、ディスク（ｄｉｓｃ）は、データをレーザによって光学的に再生する。先のものを組み合わせたものもまた、コンピュータ読取可能媒体の範囲内に含められるべきである。
【００２４】
ここで説明するさまざまな技術は、コード分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル搬送波ＦＤＭＡ（ＳＣ−ＦＤＭＡ）システム、および、このような他のシステムのような、さまざまなワイヤレス通信システムに対して使用することができる。用語“システム”および“ネットワーク”は、ここでは、互換性があるように使用することが多い。ＣＤＭＡシステムは、ユニバーサル地上無線アクセス（ＵＴＲＡ）や、ＣＤＭＡ２０００等のような、無線技術を実現することができる。ＵＴＲＡには、ワイドバンドＣＤＭＡ（Ｗ−ＣＤＭＡ）や、ＣＤＭＡの他の変形が含まれる。付加的に、ＣＤＭＡ２０００は、ＩＳ−２０００標準規格、ＩＳ−９５標準規格、および、ＩＳ−８５６標準規格をカバーしている。ＴＤＭＡシステムは、グローバルシステムフォーモバイルコミュニケーション（ＧＳＭ（登録商標））のような無線技術を実現することができる。ＯＦＤＭＡシステムは、進化ＵＴＲＡ（Ｅ−ＵＴＲＡ）や、ウルトラモバイルブロードバンド（ＵＭＢ）や、ＩＥＥＥ８０２．１１（ＷｉＦｉ（登録商標））や、ＩＥＥＥ８０２．１６（ＷｉＭＡＸ）や、ＩＥＥＥ８０２．２０や、フラッシュＯＦＤＭ（登録商標）等のような、無線技術を実現することができる。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）は、まもなくリリースされるものであり、Ｅ−ＵＴＲＡを使用し、ダウンリンク上でＯＦＤＭＡを用い、アップリンク上でＳＣ−ＦＤＭＡを用いる。ＵＴＲＡと、Ｅ−ＵＴＲＡと、ＵＭＴＳと、ＬＴＥと、ＧＳＭとは、“第３世代パートナーシッププロジェクト”（３ＧＰＰ）という名の組織による文書中に記述されている。さらに、ＣＤＭＡ２０００およびＵＭＢは、“第３世代パートナーシッププロジェクト２”（３ＧＰＰ２）という名の組織による文書中に記述されている。
【００２５】
多数のデバイス、コンポーネント、モジュール、およびこれらに類するものを含むことができるシステムの観点から、さまざまな側面を提示するだろう。さまざまなシステムは、付加的なデバイス、コンポーネント、モジュール等を含むことがあり、および／または、図面に関連して論じる、デバイス、コンポーネント、モジュール等のすべてを含まないことがあることを理解し、正しく認識すべきである。これらのアプローチの組み合わせもまた、使用することができる。
【００２６】
ここで図面を参照すると、図１は、１つ以上のデバイスへの周波数優先度リストの通信を促進する例示的なワイヤレスネットワーク１００を示している。ワイヤレスデバイス１０４と通信して、ワイヤレスネットワーク１０６に対するアクセスを提供するアクセスポイント１０２が提供されている。アクセスポイント１０２は、マクロセルアクセスポイントや、フェムトセルまたはピコセルのアクセスポイントや、異種のワイヤレスデバイスや、それらの一部や、または、ワイヤレスネットワーク１０６に対するアクセスを提供する実質的にすべてのデバイスとすることができる。加えて、ワイヤレスデバイス１０４は、移動体デバイスや、その一部や、または、ワイヤレスネットワーク１０６に対するアクセスを受信する実質的にすべてのデバイスとすることができる。
【００２７】
例にしたがうと、ワイヤレスデバイス１０４は、アイドルモードまたはアクティブモードにおいて、アクセスポイント１０２と通信することができる。例えば、アイドルモードでは、ワイヤレスデバイス１０４がアクティブモードに切り替わって、アクセスポイント１０２または１つ以上の異種のアクセスポイントと通信することを示す、アクセスポイント１０２または他のデバイスからのページング信号を、ワイヤレスデバイス１０４は聞くことができる。アクティブモードで通信しているときに、アクセスポイント１０２は、ワイヤレスデバイス１０４に周波数優先度リストを送信することができ、周波数優先度リストは、信号強度のような１つ以上の基準に基づいて優先順位付けられた、ページング信号に対して監視する周波数のリストである。例えば、ワイヤレスデバイス１０４またはネットワークに対して、リストに影響を与えるポリシーまたは他のパラメータが変化するときに、ならびに／あるいは、これらに類するときに、アクセスポイント１０２は、タイマーにしたがってリストを送信することができる。ワイヤレスデバイス１０４は、アクセスポイントとのアクティブな接続が終了するときに、後で使用するためにリストを記憶することができる。この点に関して、ワイヤレスデバイス１０４は、接続解放を待つことなく、更新された周波数優先度リストを維持することができる。加えて、ワイヤレスデバイス１０４とアクセスポイント１０２との間でリンクが失敗した場合には、ワイヤレスデバイス１０４は、記憶している周波数優先度リストを利用して、アイドルモードにおいて、ページング信号を聞くことができる。
【００２８】
１つの例では、アクセスポイント１０２は、リスト中の周波数に対するレイヤタイプを付加的に示すことができ、これにより、ワイヤレスデバイス１０４は、レイヤタイプを使用して、閉じられた加入者グループ（ＣＳＧ）セルを実現するアクセスポイントのような、周波数を利用するアクセスポイントのタイプ間で区別をすることができる。ワイヤレスデバイス１０４は、ＣＳＧセルを避けるように、または、ＣＳＧセルからのみ信号を受信するように望んでもよい。いずれのケースでも、ワイヤレスデバイス１０４は、（周波数に対する優先度とともに、）リスト中で示されているレイヤタイプにしたがって、周波数に同調することができる。１つの例では、アクセスポイント１０２は、さまざまなアクセスポイントや、仕様や、ハードコーディングや、ワイヤレスネットワーク１０６中の異種コンポーネントや、構成や、および／またはこれらに類するものからの信号を聞くことにより、優先度リスト中の表示に対するレイヤタイプ情報を受信することができる。別の例では、アクセスポイント１０２は、周波数優先度リストを、および／または、周波数優先度リストに対する更新をワイヤレスネットワーク１０６から受信することができる。
【００２９】
次に図２を参照すると、ワイヤレス通信ネットワークに参加することができる通信装置２００が示されている。通信装置２００は、移動体デバイスや、その一部や、または、ワイヤレスネットワークに対するアクセスを受信することができる実質的にすべてのデバイスとすることができる。通信装置２００は、ワイヤレスネットワークにおいて、アイドル通信モードとアクティブ通信モードとの間で切り替えることができる通信モードコンポーネント２０２と、周波数優先度リストをまたは周波数優先度リストに対する更新を受信および／または記憶することができる周波数優先度リストコンポーネント２０４と、（示していない）１つ以上のアクセスポイントに関連する信号に対して、１つ以上の周波数を解析することができる周波数監視コンポーネント２０６とを備えている。
【００３０】
例にしたがうと、通信モードコンポーネント２０２は、別のデバイスと通信するために、通信装置２００に対するモードを選択することができる。説明するように、例えば、通信モードコンポーネント２０２は、アイドルモード通信またはアクティブモード通信を選択することができる。アイドルモードであるときに、周波数監視コンポーネント２０６は、１つ以上のネットワークデバイスからページング信号を受信するための周波数を評価することができる。例えば、通信装置２００がワイヤレスネットワークに接続すべきであることを示すページング信号を受信したときに、通信モードコンポーネント２０２は、アクティブモード通信への切り替えを開始することができ、このことは、１つ以上のネットワークデバイスから取得したアクセス情報に基づいて起こることがある。いったんネットワークデバイスに接続されると、周波数優先度リストコンポーネント２０４は、アクティブモード通信の間中ずっと、ネットワークデバイスから周波数優先度リストを取得することができる。周波数優先度リストコンポーネント２０４は、アクティブモード接続の間に、無線リソース制御（ＲＲＣ）レイヤメッセージ中で、リストを受信することができる。例えば、新しく定義されたメッセージ中で、再構成メッセージ（例えば、ＲＲＣ接続再構成）中で、および／またはこれらに類するものにおいて、リストを受信することができ、これにより、接続解放（例えば、ＲＲＣレイヤにおけるＲＲＣ接続解放）より前にリストを受信する。
【００３１】
説明するように、スケジュールされたもの等にしたがって、リストに関連するパラメータが修正される際に、周波数優先度リストを取得することができる。別の例では、周波数優先度リストコンポーネント２０４は、ネットワークデバイスからの更新されたリストを要求することができる。加えて、周波数優先度リストコンポーネント２０４は、ページングに対して周波数を監視する際に、後で使用するために、受信したリストを記憶することができる。説明するように、接続が消失または解放された後に、周波数監視コンポーネント２０６は、示されている優先度にしたがって、ページング信号に対するリスト中の周波数を評価することができる。付加的に、周波数優先度リストコンポーネント２０４は、アクセスポイントのタイプに関連するレイヤタイプインジケータを含む周波数優先度リストを受信することができる。したがって、例えば、周波数監視コンポーネント２０６は、あるタイプのアクセスポイントに関連する周波数を避けるか、または、明示的に評価することができる。さらに、例えば、周波数優先度リストコンポーネント２０４は、完全な周波数優先度リストに加えて、または、完全な周波数優先度リストに代えて、記憶している周波数優先度リストに対する更新を受信することができる。
【００３２】
ここで図３を参照すると、示しているのは、アクティブ通信において、周波数優先度リストの提供を促進するワイヤレス通信システム３００である。システム３００は、アクセスポイント１０２を含み、アクセスポイント１０２は、説明するように、ワイヤレスネットワークアクセスを提供する実質的にすべてのタイプの基地局または（例えば、独立して電源供給されているデバイスだけでなく、モデムも含む）移動体デバイスや、および／または、それらの一部とすることができる。加えて、ワイヤレスデバイス１０４は、移動体デバイスや、または、ワイヤレスネットワークアクセスを受信する他のデバイスとすることができる。さらに、システム３００は、ＭＩＭＯシステムとすることができ、１つ以上のワイヤレスネットワークシステム仕様（例えば、ＥＶ−ＤＯ、３ＧＰＰ、３ＧＰＰ２、３ＧＰＰ ＬＴＥ、ＷｉＭＡＸ等）に準拠することができる。
【００３３】
アクセスポイント１０２は、ワイヤレスネットワーク中のデバイスとのＲＲＣ接続セットアップを実行するＲＲＣ接続確立コンポーネント３０２と、あるワイヤレスデバイスに関連する１つ以上の周波数優先度リストを維持する周波数優先度リスト管理コンポーネント３０４と、ページング周波数に関連するレイヤタイプを受信することができるレイヤタイプ決定コンポーネント３０６と、１つ以上のワイヤレスデバイスに周波数優先度リストを提供することができる周波数優先度リスト提供コンポーネント３０８と、ワイヤレスデバイスとのＲＲＣ接続を終了することができるＲＲＣ接続解放コンポーネント３１０と、アイドルモードからアクティブモードへと切り替えるようにワイヤレスデバイスに要求するページを送信することができるページングコンポーネント３１２とを備えることができる。ワイヤレスデバイス１０４は、ワイヤレスデバイス１０４に対する１つ以上の通信モードを実現することができるＲＲＣ通信モードコンポーネント３１４と、周波数優先度リストを受信して記憶することができる周波数優先度リストコンポーネント２０４と、ページング信号に対して１つ以上の周波数を解析することができる周波数監視コンポーネント２０６とを備えることができる。
【００３４】
例にしたがうと、ＲＲＣ通信モードコンポーネント２０２は、アイドルモード中とすることができ、周波数監視コンポーネント２０６は、ページング信号に対して、１つ以上の周波数にわたって聞くことができる。ページングコンポーネント３１２は、例えば、ＲＲＣ通信モードコンポーネント３１４をアクティブモードへと切り替えさせ、アクセスポイント１０２に対してＲＲＣ接続セットアップ要求を送らせるページング信号をワイヤレスデバイス１０４に送ることができる。ＲＲＣ接続確立コンポーネント３０２は、ワイヤレスデバイス１０４とのＲＲＣ接続を初期化することができる。例えば、このことは、ワイヤレスデバイス１０４を認証／認可するために、（示していない）上流のネットワークコンポーネントによってパラメータを検証することを含むことができることを正しく認識すべきである。
【００３５】
周波数優先度リスト管理コンポーネント３０４は、ワイヤレスデバイス１０４に関連する周波数優先度リストを確立および／または維持することができる。１つの例では、ワイヤレスネットワークから（例えば、移動性管理エンティティ（ＭＭＥ）から）リストを受信することができ、近隣信号に基づいて、周波数優先度リスト管理コンポーネント３０４によりリストを発生させることができ、構成、ネットワーク仕様、ハードコーディングおよび／またはこれらに類するものからリストを受信することができる。周波数を利用しているアクセスポイントの信号強度や、アクセスポイントのタイプや、および／またはこれらに類するものに少なくとも部分的に基づいて、周波数優先度リストを優先順位付けすることができる。加えて、例えば、レイヤタイプ決定コンポーネント３０６は、周波数を利用しているアクセスポイントのタイプに関する情報を受信することができ、周波数優先度リスト中に対応するレイヤタイプを含めることができる。別の例では、ワイヤレスネットワークからレイヤタイプを受信することができる。
【００３６】
加えて、周波数優先度リスト管理コンポーネント３０４および／またはレイヤタイプ決定コンポーネント３０６は、近隣周波数上の信号を評価することにより、修正された構成等を介して、再優先順位付けおよび／またはこれに類するもののような、リスト中の周波数に関連する更新を、ワイヤレスネットワークから受信することができ、周波数優先度リストを更新することができる。更新を受信すると、周波数優先度リスト提供コンポーネント３０８は、アクティブモード通信の間に、更新されたリスト（例えば、完全なリストまたは更新パケット）をワイヤレスデバイス１０４に提供することができる。１つの例では、周波数優先度リスト提供コンポーネント３０８は、ＲＲＣメッセージ中でリスト（または更新）を送信することができ、ＲＲＣメッセージは、説明するように、新しく定義されたメッセージや、再構成メッセージや、および／またはこれらに類するものとすることができる。加えて、周波数優先度リスト提供コンポーネント３０８は、ワイヤレスデバイス１０４が、接続解放より前に１つ以上のリストを受信することができるように、通信の間のある時点において、および／または、これに類するものにおいて、タイマーにしたがって、ワイヤレスデバイス１０４に周波数優先度リストを送ることができる。
【００３７】
周波数優先度リストコンポーネント２０４は、ページング信号に対する周波数を評価する際に、後の使用のために、リストを受信して記憶することができる。例えば、ＲＲＣ接続解放コンポーネント３１０は、ワイヤレスデバイスとのＲＲＣ接続を解放することができ、このことにより、ＲＲＣ通信モードコンポーネント３１４をアイドルモードへと切り替えさせることができる。別の例では、ワイヤレスデバイス１０４とアクセスポイント１０２との間のリンクは失敗することがある。上述したように、いずれのケースでも、周波数優先度リストコンポーネント２０４には、現在のリストが提供されている。周波数監視コンポーネント２０６は、ページング信号に対して、リスト中の周波数にわたって聞くことができる。説明するように、周波数監視コンポーネント２０６が、レイヤタイプに基づいて、ワイヤレスデバイス１０４がＣＳＧセル中の通信をサポートしない場合におけるＣＳＧセル周波数のようなある周波数を評価することを避けることができるように、周波数優先度リストはレイヤタイプを含むことができる。別の例では、周波数監視コンポーネント２０６は、レイヤタイプに基づいて周波数を監視する際に、アクセスポイントのタイプを選ぶことができる。
【００３８】
図４を参照すると、アクティブモード通信の間に周波数優先度リストの送信を促進する例示的なワイヤレス通信システム４００を示している。システム４００は、実質的にすべてのワイヤレスデバイスとすることができるＵＥ４０２を含み、ＵＥ４０２は、実質的にすべてのタイプのアクセスポイント（および／または上流のネットワークノード）とすることができるｅＮＢ４０４と通信し、ｅＮＢ４０４は、ＵＥ４０２にワイヤレスネットワークアクセスを提供する。示しているように、ＵＥ４０２は、ｅＮＢ４０４にＲＲＣ接続要求４０６を送って、ｅＮＢ４０４とのアクティブモード通信を初期化することができる。１つの例では、アイドルモードからアクティブモードへと切り替えるために、ｅＮＢ４０４または他のネットワークコンポーネントからの受信シグナリングに少なくとも部分的に基づいて、ＲＲＣ接続要求４０６を送信することができる。
【００３９】
ｅＮＢ４０４は、ＲＲＣ接続要求を受信し、要求を検証して、ワイヤレスネットワークアクセスに対してＵＥ４０２を認証または認可することができ、このことは、ＭＭＥや、ポリシーおよび課金リソース機能（ＰＣＲＦ）等のような、（示していない）１つ以上の上流のネットワークコンポーネントに照会することが必要となることがある。ｅＮＢ４０４は、後続して、ＵＥ４０２にＲＲＣ接続応答４０８を送り届けることができ、ＲＲＣ接続応答４０８は、ＲＲＣ接続要求のステータスを示すことができる。この例では、ステータスは成功である。ＵＥ４０２およびｅＮＢ４０４は、アクティブモードで通信を続けることができ、ｅＮＢ４０４は、周波数優先度リストを含むＲＲＣ接続再構成メッセージ４１０をＵＥ４０２に送信することができる。ＵＥ４０２は、メッセージ中で周波数優先度リストを受信して、後で利用するためにリストを記憶することができる。
【００４０】
説明するように、ＵＥ４０２に関連するポリシーまたはパラメータの変更や、あるいは、周波数優先度リストや、ならびに／あるいはこれらに類するものをｅＮＢ４０４が受信すると、タイマーにしたがって、再構成メッセージ中で、周波数優先度リストを送ることができる。さらに、この点に関して、ｅＮＢ４０４は、通信の間中ずっと複数の周波数優先度リスト（または、周波数優先度リストに対する更新）をＵＥ４０２に送信できることを正しく認識すべきである。この方法でリストを送ることにより、ＵＥ４０２が現在のリストを維持して、接続解放またはリンク消失の場合に利用することが可能になる。ｅＮＢ４０４は、ＲＲＣ接続解放メッセージを送信することができ、または、ＵＥ４０２とのリンクを消失することがある４１２。説明するように、いずれのケースでも、ＵＥ４０２は、最後に受信した周波数優先度リストを利用して、ページング信号に対して、高い優先度の周波数をスキャンすることができる。加えて、説明するように、周波数優先度リストは、周波数に関連するアクセスポイントタイプを特定するレイヤタイプインジケータを含むことができる。この点に関して、ＵＥ４０２は、アクセスポイントタイプに付加的に基づいて、ある周波数を避けるまたは評価することができる（例えば、ＵＥ４０２は、ＵＥ４０２のインプリメンテーションに依存して、ＣＳＧセルに対する周波数を避けるまたは明示的に評価することができる）。
【００４１】
ここで図５〜７を参照すると、ここで述べるさまざまな側面にしたがって実行することができる方法論を示している。説明を簡略化する目的のために、一連の動作として方法論を示し、説明しているが、いくつかの動作は、１つ以上の側面にしたがって、ここで示し、説明しているのとは異なる順序でおよび／または他の動作と並行して起こるので、動作の順序により方法論が限定されないことを理解し、正しく認識すべきである。例えば、代替的に、状態ダイヤグラムでのような、一連の相互関係のある状態またはイベントとして方法論を表すことができることを、当業者は理解し、正しく認識するだろう。さらに、すべての示している動作が、１つ以上の側面にしたがって、方法論を実現するように要求されるわけではない。
【００４２】
図５を参照すると、示しているのは、アクティブモード通信の間に周波数優先度リストを受信するための方法論５００である。５０２において、アクティブモードで、アクセスポイントと通信することができる。説明するように、（３ＧＰＰ ＬＴＥのような）ある通信ネットワークでは、アクティブモード通信およびアイドルモード通信があり、ここで、例えば、アクティブモードは、アクセスポイントとの接続を確立して、アクセスポイントと通信することを含んでいる。５０４において、アクティブモードで通信している間に、アクセスポイントから周波数優先度リストを受信することができる。この点に関して、アクセスポイントに対する接続が解放または消失される前に、周波数優先度リストを受信することができる。５０６において、ページング信号を受信するための周波数を決定する際に、後で使用するために、周波数優先度リストを記憶することができる。説明するように、例えば、周波数優先度リストは、所定のタイプのアクセスポイントに関連する周波数を特定するレイヤタイプインジケータを付加的に含むことができる。
【００４３】
図６を参照すると、示しているのは、レイヤタイプインジケータを含む周波数優先度リストを利用するための方法論６００である。６０２において、レイヤタイプインジケータを持つ周波数優先度リストをアクセスポイントから受信することができる。説明するように、レイヤタイプインジケータは、リスト中の周波数を所定のタイプのアクセスポイントに関係付けることができる。例えば、ページング信号に対する監視の際にこのようなセルを避けるまたは選ぶことができるように、レイヤタイプを使用してＣＳＧセル周波数を識別することができる。６０４において、アクセスポイントとの接続が解放または消失する。この点に関して、切断は計画することができ、または、切断は自然発生的であるかもしれない。いずれのケースでも、アクティブモード通信の間に、この発生の前に周波数優先度リストを受信して、更新されたリストを確実に維持することができる。６０６において、優先度およびレイヤタイプにしたがって、ページング信号に対して、周波数優先度リスト中の周波数を監視することができる。したがって、説明するように、ページング信号に対して、あるアクセスポイントのタイプの周波数を避けるまたは明示的に監視することができる。
【００４４】
図７を見ると、アクティブモード通信の間に、移動体デバイスに周波数優先度リストを提供することを促進する方法論７００が示されている。７０２において、アクティブモードで動作している移動体デバイスと通信することができる。説明するように、このようなデバイスは、あるネットワーク構成において、アイドルモードおよびアクティブモードで動作することができる。デバイスにページング信号を送信することにより、アクティブモードへの切り替えを行わせることができる。７０４において、移動体デバイスに関連する周波数優先度リストを取得することができる。説明するように、上流のネットワークコンポーネント（例えば、ＭＭＥ）から周波数優先度リストを受信することができ、受信または取得された、周辺のアクセスポイントに関する情報に基づいて、周波数優先度リストを発生させることができ、構成から、あるいは、ネットワーク仕様にしたがって、および／またはこれに類するものによって、周波数優先度リストを受信することができる。７０６において、アクティブモード通信において、移動体デバイスに周波数優先度リストを送信することができる。これは、タイマーにしたがうことがあり、周波数優先度リストの取得に基づくことがあり、および／またはこれらに類するものに基づくことがある。いずれにせよ、説明するように、接続解放または接続失敗より前に、デバイスには周波数優先度リストが提供される。
【００４５】
ここで説明する１つ以上の側面にしたがって、周波数優先度リストを発生させることと、リスト内でレイヤタイプを決定して示すことと、更新されたリストを移動体デバイスに送信することと、および／またはこれらに類することに関して、推論することができることを正しく認識するだろう。ここで使用するように、“推論する”または“推論”に対する用語は、一般的に、イベントおよび／またはデータを介して把握したような１組の観測から、システムの、環境のおよび／またはユーザの状態について論理的に考える、または、推論するプロセスのことを指す。推論を用いて、特定の状況またはアクションを識別することができ、あるいは、例えば、状態に関する確率分布を発生させることができる。推論は、確率論的とすることができ、つまり、データおよびイベントの考察に基づいて、対象の状態に関する確率分布を計算することができる。推論はまた、１組のイベントおよび／またはデータから、より高いレベルのイベントを構成するために用いられる技術のことを指す。このような推論は、時間的に極めて近接してイベントが相関していようとなかろうと、ならびに、イベントおよびデータが、１つまたは複数のイベントおよびデータソースから生じていようとなかろうと、１組の観測されたイベントおよび／または記憶されているイベントデータから、新しいイベントまたはアクションを構築することになる。
【００４６】
図８を参照すると、示しているのは、アクティブモード通信の間に周波数優先度リストを受信するシステム８００である。例えば、システム８００は、基地局内や、移動体デバイス内や、またはワイヤレスネットワークに対するアクセスを提供する別のデバイス内に、少なくとも部分的に内在することができる。機能的なブロックを含むものとしてシステム８００を表し、この機能的なブロックは、プロセッサや、ソフトウェアや、またはこれらの組み合わせ（例えば、ファームウェア）により実現される機能を表す機能的なブロックとすることができることを正しく認識すべきである。システム８００は、共に動作することができる電気的コンポーネントの論理的グルーピング８０２を含む。例えば、論理的グルーピング８０２は、アクティブモードにおいて、アクセスポイントと通信する電気的コンポーネント８０４を含むことができる。説明するように、例えば、これは、アクセスポイントとの接続を確立することと、ワイヤレスネットワークに対するアクセスをアクセスポイントから受信することとを含むことができる。さらに、論理的グルーピング８０２は、アクティブモードにおいて、アクセスポイントから周波数優先度リストを受信し、アイドル通信モードにおいて後で利用するために、リストを記憶する電気的コンポーネント８０６を含むことができる。したがって、説明するように、接続解放またはリンク失敗より前にリストを受信することができる。
【００４７】
接続が解放されるときに、または、リンク失敗の際に、電気的コンポーネント８０４は、ページング信号に対して周波数を監視するアイドルモード通信に切り替えることができる。この点に関して、論理的グルーピング８０２は、示されている優先度およびレイヤタイプに少なくとも部分的に基づいて、ページング信号に対して、周波数優先度リスト中の１つ以上の周波数を監視する電気的コンポーネント８０８を含むことができる。説明するように、周波数優先度リストは、リスト中の周波数に対応するアクセスポイントタイプを特定するレイヤタイプインジケータを含むことができる。したがって、例えば、電気的コンポーネント８０８は、監視の際に、あるタイプのアクセスポイント（例えば、ＣＳＧセルアクセスポイント）に関連する周波数を避けることができ、または、このようなタイプを含めることができる。付加的に、システム８００は、電気的コンポーネント８０４、８０６、および８０８に関係する機能を実行する命令を保持するメモリ８１０を備えることができる。メモリ８１０の外部にあるものとして示しているが、電気的コンポーネント８０４、８０６、および８０８のうちの１つ以上は、メモリ８１０内に存在することができることを理解すべきである。
【００４８】
図９を参照すると、示しているのは、アクティブ通信モード中のデバイスに周波数優先度リストを提供するシステム９００である。例えば、システム９００は、基地局内や、移動体デバイス内等に、少なくとも部分的に内在することができる。機能的なブロックを含むものとしてシステム９００を表し、この機能的なブロックは、プロセッサや、ソフトウェアや、またはこれらの組み合わせ（例えば、ファームウェア）により実現される機能を表す機能的なブロックとすることができることを正しく認識すべきである。システム９００は、共に動作することができる電気的コンポーネントの論理的グルーピング９０２を含む。例えば、論理的グルーピング９０２は、移動体デバイスとのアクティブモード通信を確立する電気的コンポーネント９０４を含むことができる。以前に説明したように、これは、例えば、ＲＲＣ接続確立手順を含むことができる。さらに、論理的グルーピング９０２は、移動体デバイスに関連する周波数優先度リストを取得する電気的コンポーネント９０６を含むことができる。説明するように、これは、ＭＭＥのような異種のネットワークコンポーネントから取得することができ、受信したまたは監視している、異種のアクセスポイントのパラメータから発生させることができ、構成またはネットワーク仕様から取得することができ、および／または、これらに類することから取得することができる。
【００４９】
さらに、論理的グルーピング９０２は、接続再構成メッセージ中で、移動体デバイスに周波数優先度リストを送信する電気的コンポーネント９０８を含む。接続再構成メッセージは、説明するように、修正された接続パラメータを移動体デバイスに送信するＲＲＣメッセージとすることができる。したがって、説明するように、移動体デバイスは、接続解放または接続失敗より前にリストを獲得することができる。さらに、論理的グルーピング９０２はまた、周波数にわたって動作しているアクセスポイントのタイプに周波数を関係付けるために、周波数優先度リスト中のレイヤタイプを特定する電気的コンポーネント９１０を含むことができる。この点に関して、リストを受信するデバイスは、ページング信号に対して周波数を監視する際に、あるタイプのアクセスポイントについて／対して、弁別することができる。付加的に、システム９００は、電気的コンポーネント９０４、９０６、９０８、および９１０に関係する機能を実行するための命令を保持するメモリ９１２を備えることができる。メモリ９１２の外部にあるものとして示しているが、電気的コンポーネント９０４、９０６、９０８、および９１０のうちの１つ以上は、メモリ９１２内に存在することができることを理解すべきである。
【００５０】
図１０は、ここで説明する機能性のさまざまな側面を実現するために利用できるシステム１０００のブロックダイヤグラムである。１つの例では、システム１０００は、基地局またはｅＮＢ１００２を含んでいる。示しているように、ｅＮＢ１００２は、１つ以上の受信（Ｒｘ）アンテナ１００６を介して１つ以上のＵＥ１００４から信号を受信し、１つ以上の送信（Ｔｘ）アンテナ１００８を介して１つ以上のＵＥ１００４に送信することができる。付加的に、ｅＮＢ１００２は、受信アンテナ１００６から情報を受け取る受信機１０１０を備えることができる。１つの例では、受信機１０１０は、受け取った情報を復調する復調器（Ｄｅｍｏｄ）１０１２に動作可能に関係付けられている。復調されたシンボルは、その後、プロセッサ１０１４により解析することができる。プロセッサ１０１４は、メモリ１０１６に結合することができ、メモリ１０１６は、コードクラスタに関連する情報を、アクセス端末割り当てを、それに関連するルックアップテーブルを、一意的なスクランブリングシーケンスを、および／または、他の適切なタイプの情報を記憶することができる。１つの例では、ｅＮＢ１００２は、プロセッサ１０１４を用いて、方法論５００、６００、７００および／または他の類似する適切な方法論を実行することができる。ｅＮＢ１００２はまた、変調器１０１８を備えることができ、変調器１０１８は、送信アンテナ１００８を通しての送信機１０２０による送信のために、信号を多重化することができる。
【００５１】
図１１は、ここで説明する機能性のさまざまな側面を実現するために利用できる別のシステム１１００のブロックダイヤグラムである。１つの例では、システム１１００は、移動体端末１１０２を含んでいる。示しているように、移動体端末１１０２は、１つ以上のアンテナ１１０８を介して、１つ以上の基地局１１０４から信号を受信し、１つ以上の基地局１１０４に送信することができる。付加的に、移動体端末１１０２は、アンテナ１１０８から情報を受け取る受信機１１１０を備えることができる。１つの例では、受信機１１１０は、受け取った情報を復調する復調器（Ｄｅｍｏｄ）１１１２に動作可能に関係付けられている。復調されたシンボルは、その後、プロセッサ１１１４により解析することができる。プロセッサ１１１４は、メモリ１１１６に結合することができ、メモリ１１１６は、移動体端末１１０２に関連するデータおよび／またはプログラムコードを記憶することができる。付加的に、移動体端末１１０２は、プロセッサ１１１４を用いて、方法論５００、６００、７００および／または他の類似する適切な方法論を実行することができる。移動体端末１１０２はまた、以前の図面で説明した１つ以上のコンポーネントを用いて、説明した機能性を行うことができる。１つの例では、プロセッサ１１１４によりコンポーネントを実現することができる。移動体端末１１０２はまた、変調器１１１８を備えることができ、変調器１１１８は、アンテナ１１０８を通しての送信機１１２０による送信のために、信号を多重化することができる。
【００５２】
ここで図１２を参照すると、さまざまな側面にしたがった、ワイヤレス多元接続通信システムの例が提供されている。１つの例では、アクセスポイント１２００（ＡＰ）は、複数のアンテナグループを備えている。図１２で示しているように、１つのアンテナグループは、アンテナ１２０４とアンテナ１２０６とを含み、別のアンテナグループは、アンテナ１２０８とアンテナ１２１０とを含み、また別のアンテナグループは、アンテナ１２１２とアンテナ１２１４とを含んでいる。図１２では、各アンテナグループに対して２つのアンテナのみが示されているが、各アンテナグループに対して、より多くのアンテナまたはより少ないアンテナを利用できることを正しく認識すべきである。別の例では、アクセス端末１２１６は、アンテナ１２１２およびアンテナ１２１４と通信することができ、アンテナ１２１２およびアンテナ１２１４は、フォワードリンク１２２０を通してアクセス端末１２１６に情報を送信し、リバースリンク１２１８を通してアクセス端末１２１６から情報を受信する。付加的におよび／または代替的に、アクセス端末１２２２は、アンテナ１２０６およびアンテナ１２０８と通信することができ、アンテナ１２０６およびアンテナ１２０８は、フォワードリンク１２２６を通してアクセス端末１２２２に情報を送信し、リバースリンク１２２４を通してアクセス端末１２２２から情報を受信する。周波数分割デュプレクスシステムでは、通信リンク１２１８、１２２０、１２２４、および１２２６は、通信に対して異なる周波数を使用することができる。例えば、フォワードリンク１２２０は、リバースリンク１２１８により使用されている周波数とは異なる周波数を使用してもよい。
【００５３】
アンテナの各グループおよび／またはアンテナの各グループが通信するように設計されているエリアは、アクセスポイントのセクターとして呼ぶことができる。１つの側面にしたがうと、アンテナグループは、アクセスポイント１２００によりカバーされているエリアのセクター中で、アクセス端末に通信するように設計することができる。フォワードリンク１２２０および１２２６を通しての通信では、アクセスポイント１２００の送信アンテナは、異なるアクセス端末１２１６および１２２２に対するフォワードリンクの信号対ノイズ比を改善するために、ビーム形成を利用することができる。また、ビーム形成を使用して、そのカバレッジ中にランダムに散っているアクセス端末に送信するアクセスポイントは、単一のアンテナを通してそのすべてのアクセス端末に対して送信するアクセスポイントに比べて、近隣のセル中にあるアクセス端末に対して生じさせる干渉は小さい。
【００５４】
例えばアクセスポイント１２００のようなアクセスポイントは、端末との通信に対して使用される固定局とすることができ、基地局、ｅＮＢ、アクセスネットワーク、および／または他の適切な専門用語としても呼ぶことができる。加えて、例えばアクセス端末１２１６または１２２２のようなアクセス端末は、移動体端末、ユーザ機器、ワイヤレス通信デバイス、端末、ワイヤレス端末、および／または他の適切な専門用語としても呼ぶことができる。
【００５５】
いくつかの側面では、マクロスケールのカバレッジ（例えば、典型的にマクロセルネットワークとして呼ばれる、３Ｇネットワークのような大きなエリアのセルラネットワーク）と、より小さいスケールのカバレッジ（例えば、住宅ベースまたは建物ベースのネットワーク環境）とを含むネットワークにおいて、ここでの教示を用いてもよい。アクセス端末（ＡＴ）は、このようなネットワークを通して移動するので、アクセス端末は、あるロケーションでは、マクロカバレッジを提供するアクセスノード（ＡＮ）によって担当されてもよい一方で、アクセス端末は、他のロケーションでは、より小さいスケールのカバレッジを提供するアクセスノードによって担当されてもよい。いくつかの側面では、より小さいカバレッジのノードを使用して、インクリメント的な容量の増加と、建物内のカバレッジと、（例えば、より堅牢なユーザ経験に対する）異なるサービスとを提供することができる。ここでの議論では、比較的大きいエリアにわたってカバレッジを提供するノードは、マクロノードとして呼ぶことがある。比較的小さいエリア（例えば、住宅）にわたってカバレッジを提供するノードは、フェムトノードとして呼ぶことがある。マクロエリアより小さく、フェムトエリアより大きいエリアにわたってカバレッジを提供するノードは、（例えば、商業ビル内にカバレッジを提供する）ピコノードとして呼ぶことがある。
【００５６】
マクロノード、フェムトノード、またはピコノードに関係するセルは、それぞれ、マクロセル、フェムトセル、またはピコセルとして呼ぶことがある。いくつかのインプリメンテーションでは、各セルを、さらに、１つ以上のセクターに関係付けて（例えば、分割して）もよい。
【００５７】
さまざまな適用において、マクロノード、フェムトノード、またはピコノードを参照するために、他の専門用語を使用してもよい。例えば、アクセスノード、基地局、アクセスポイント、ｅノードＢ、マクロセル等として、マクロノードを構成するまたは呼ぶことがある。また、ホームノードＢ、ホームｅノードＢ、アクセスポイント基地局、フェムトセル等として、フェムトノードを構成するまたは呼ぶことがある。
【００５８】
図１３は、ここでの教示をその中で実現することができ、多数のユーザをサポートするように構成されているワイヤレス通信システム１３００を示している。システム１３００は、例えば、マクロセル１３０２Ａ〜１３０２Ｇのような複数のセル１３０２に対して通信を提供し、各セルには、対応するアクセスノード１３０４（例えば、アクセスノード１３０４Ａ〜１３０４Ｇ）によりサービスが提供されている。図１３で示しているように、アクセス端末１３０６（例えば、アクセス端末１３０６Ａ〜１３０６Ｌ）は、システム全体にわたって、さまざまなロケーションに、経時的に散らばっているかもしれない。各アクセス端末１３０６は、例えば、アクセス端末１３０６がアクティブであるか否か、および、アクセス端末はソフトハンドオフ中であるか否かに依存して、所定の瞬間において、フォワードリンク（ＦＬ）上および／またはリバースリンク（ＲＬ）上で、１つ以上のアクセスノード１３０４と通信してもよい。ワイヤレス通信システム１３００は、大きい地理的な領域にわたってサービスを提供してもよい。例えば、マクロセル１３０２Ａ〜１３０２Ｇは、近隣中のいくつかのブロックをカバーしてもよい。
【００５９】
図１４は、１つ以上のフェムトノードがネットワーク環境内に配置されている例示的な通信システム１４００を示している。特に、システム１４００は、（例えば、１つ以上のユーザの住宅１４３０のような）比較的小さいスケールのネットワーク環境中に設置されている複数のフェムトノード１４１０（例えば、フェムトノード１４１０Ａおよび１４１０Ｂ）を含む。各フェムトノード１４１０は、ＤＳＬルータや、ケーブルモデムや、ワイヤレスリンクや、または（示していない）他の接続性手段を介して、ワイドエリアネットワーク１４４０（例えば、インターネット）および移動体オペレータコアネットワーク１４５０に結合されていてもよい。下記で論じているように、関係付けられているアクセス端末（例えば、アクセス端末１４２０Ａ）と、オプション的に、エイリアンアクセス端末１４２０（例えば、アクセス端末１４２０Ｂ）とを担当するように各フェムトノード１４１０を構成してもよい。言い換えると、１組の指定されている（例えば、ホーム）フェムトノード１４１０によって所定のアクセス端末１４２０を担当するが、何らかの指定されていないフェムトノード１４１０（例えば、近隣のフェムトノード１４１０）によっては所定のアクセス端末１４２０を担当しないことにより、フェムトノード１４１０に対するアクセスを制限してもよい。
【００６０】
図１５は、いくつかのトラッキングエリア１５０２（またはルーティングエリアまたはロケーションエリア）を定義し、そのそれぞれがいくつかのマクロカバレッジエリア１５０４を含むカバレッジマップ１５００の例を示している。ここで、トラッキングエリア１５０２Ａ、１５０２Ｂ、および１５０２Ｃに関係するカバレッジのエリアは、幅広の線により線引きされ、マクロカバレッジエリア１５０４は、六角形により表されている。トラッキングエリア１５０２はまた、フェムトカバレッジエリア１５０６を含んでいる。この例では、フェムトカバレッジエリア１５０６のそれぞれ（例えば、フェムトカバレッジエリア１５０６Ｃ）は、マクロカバレッジエリア１５０４（例えば、マクロカバレッジエリア１５０４Ｂ）内に示されている。しかしながら、フェムトカバレッジエリア１５０６は、マクロカバレッジエリア１５０４内にまったく位置していなくてもよいことを正しく認識すべきである。実際には、非常に多数のフェムトカバレッジエリア１５０６が、所定のトラッキングエリア１５０２内に、または、マクロカバレッジエリア１５０４内に定義されていてもよい。また、（示していない）１つ以上のピコカバレッジエリアが、所定のトラッキングエリア１５０２内に、または、マクロカバレッジエリア１５０４内に定義されていてもよい。
【００６１】
再度図１４を参照すると、フェムトノード１４１０の所有者は、例えば、３Ｇ移動体サービスのような、移動体オペレータコアネットワーク１４５０を通して提供される移動体サービスに加入していてもよい。加えて、アクセス端末１４２０は、マクロ環境と、より小さいスケール（例えば、住宅の）ネットワーク環境との双方で動作することが可能であってもよい。言い換えると、アクセス端末１４２０の現在のロケーションに依存して、マクロセル移動体ネットワーク１４５０のアクセスノード１４６０により、または、１組のフェムトノード１４１０のうちの何らかの１つ（例えば、対応するユーザの住宅１４３０内に内在するフェムトノード１４１０Ａおよび１４１０Ｂ）により、アクセス端末１４２０が担当されていてもよい。例えば、加入者が自身の家の外にいるときには、加入者は、標準的なマクロアクセスノード（例えば、ノード１４６０）により担当され、加入者が自身の家にいるときには、加入者は、フェムトノード（例えば、ノード１４１０Ａ）により担当される。ここで、フェムトノード１４２０は、既存のアクセス端末１４２０と下位互換性があってもよいことを正しく認識すべきである。
【００６２】
フェムトノード１４１０は、単一の周波数上に配置されていてもよく、または、代替的に、複数の周波数上に配置されていてもよい。特定の構成に依存して、単一の周波数または複数の周波数のうちの１つ以上が、マクロノード（例えば、ノード１４６０）により使用される１つ以上の周波数とオーバーラップしていてもよい。
【００６３】
いくつかの側面では、このような接続性が可能であるときはいつでも、好ましいフェムトノード（例えば、アクセス端末１４２０のホームフェムトノード）に接続するように、アクセス端末１４２０が構成されていてもよい。例えば、アクセス端末１４２０がユーザの住宅１４３０内にあるときにはいつでも、アクセス端末１４２０は、ホームフェムトノード１４１０とのみ通信することが望ましい。
【００６４】
いくつかの側面では、アクセス端末１４２０が、マクロセルラネットワーク１４５０内で動作しているが、（例えば、好ましいローミングリスト中に定義されているような）その最も好ましいネットワーク上に存在していない場合に、より良いシステムが現在利用可能であるか否かを決定するために、利用可能なシステムの周期的なスキャニングと、このような好ましいシステムに関係付けるための後続する活動とを含んでいてもよいベターシステムリセレクション（ＢＳＲ）を使用して、アクセス端末１４２０は、最も好ましいネットワーク（例えば、好ましいフェムトノード１４１０）をサーチし続けてもよい。捕捉エントリによって、アクセス端末１４２０は、特定のバンドおよびチャネルに対するサーチを制限するかもしれない。例えば、最も好ましいシステムに対するサーチを周期的に繰り返してもよい。好ましいフェムトノード１４１０を見つけると、そのカバレッジエリア内にとどまるために、アクセス端末１４２０はフェムトノード１４１０を選択する。
【００６５】
いくつかの側面において、フェムトノードを制限してもよい。例えば、所定のフェムトノードは、あるアクセス端末に対してあるサービスのみを提供してもよい。いわゆる制限された（または閉じられた）関係での配置では、所定のアクセス端末は、マクロセル移動体ネットワークと、定義された組のフェムトノード（例えば、対応するユーザの住宅１４３０内に内在するフェムトノード１４１０）とによってのみ担当されてもよい。いくつかのインプリメンテーションでは、少なくとも１つのノードに対して、シグナリング、データアクセス、登録、ページング、またはサービスのうちの少なくとも１つを提供するようにノードを制限してもよい。
【００６６】
いくつかの側面では、（閉じられた加入者グループホームノードＢとして呼ぶこともある）制限されたフェムトノードは、供給される制限された組のアクセス端末にサービスを提供するものである。この組は、一時的なものであってもよく、または、必要に応じて永久的なものであってもよい。いくつかの側面では、閉じられた加入者グループ（ＣＳＧ）は、アクセス端末の共通アクセス制御リストを共有するアクセスノード（フェムトノード）の組として定義されてもよい。領域中のすべてのフェムトノード（または、すべての制限されたフェムトノード）がその上で動作するチャネルは、フェムトチャネルとして呼ぶことがある。
【００６７】
したがって、所定のフェムトノードと所定のアクセス端末との間に、さまざまな関係が存在しているかもしれない。例えば、アクセス端末の観点から、オープンなフェムトノードは、制限されていない関係を持つフェムトノードのことを指していてもよい。制限されたフェムトノードは、何らかの方法で制限されている（例えば、関係および／または登録に対して制限されている）フェムトノードのことを指していてもよい。ホームフェムトノードは、そのフェムトノードにアクセスし、その上で動作することがアクセス端末に認可されているフェムトノードのことを指していてもよい。ゲストフェムトノードは、そのフェムトノードにアクセスし、その上で動作することがアクセス端末に一時的に認可されているフェムトノードのことを指していてもよい。エイリアンフェムトノードは、緊急と思われる事態（例えば、９１１通話）を除いて、そのフェムトノードにアクセスし、その上で動作することがアクセス端末に認可されていないフェムトノードのことを指していてもよい。
【００６８】
制限されたフェムトノードの観点から、ホームアクセス端末は、制限されたフェムトノードにアクセスすることが認可されているアクセス端末のことを指していてもよい。ゲストアクセス端末は、制限されたフェムトノードへの一時的なアクセスを持つアクセス端末のことを指していてもよい。エイリアンアクセス端末は、例えば９１１通話のような緊急と思われる事態を除いて、制限されたフェムトノードにアクセスする許可を有していないアクセス端末（例えば、制限されたフェムトノードに登録するための信用証明または許可を有していないアクセス端末）のことを指していてもよい。
【００６９】
便宜上、ここでの開示は、フェムトノードの文脈におけるさまざまな機能性を説明している。しかしながら、ピコノードが、より大きいカバレッジエリアに対して、同じまたは類似する機能性を提供してもよいことを正しく認識すべきである。例えば、ピコノードを制限してもよく、所定の端末に対してホームピコノードを定義してもよい等である。
【００７０】
ここで図１６を参照すると、ここで説明するさまざまな側面が機能することができる例示的なワイヤレス通信システム１６００を示すブロックダイヤグラムが提供されている。１つの例では、システム１６００は、送信機システム１６１０と受信機システム１６５０とを備える複数入力複数出力（ＭＩＭＯ）システムである。しかしながら、送信機システム１６１０および／または受信機システム１６５０は、例えば、（例えば基地局上の）複数の送信アンテナが、単一のアンテナデバイス（例えば、移動局）に１つ以上のシンボルストリームを送信することができる複数入力単一出力システムにも適用できることを正しく認識すべきである。付加的に、ここで説明する送信機システム１６１０および／または受信機システム１６５０の側面は、単一出力単一入力アンテナシステムに関連して利用できることを正しく認識すべきである。
【００７１】
１つの側面にしたがうと、送信機システム１６１０において、多数のデータストリームに対するトラフィックデータが、データソース１６１２から送信（ＴＸ）データプロセッサ１６１４へと提供される。１つの例では、その後、それぞれの送信アンテナ１６２４を介して、各データストリームを送信することができる。付加的に、ＴＸデータプロセッサ１６１４は、コード化されたデータを提供するために、各それぞれのデータストリームに対して選択された特定のコーディングスキームに基づいて、各データストリームに対するトラフィックデータをフォーマットでき、エンコードでき、およびインターリーブできる。１つの例では、各データストリームに対してコード化されたデータは、その後、ＯＦＤＭ技術を使用して、パイロットデータと多重化することができる。パイロットデータは、例えば、既知の方法で処理される既知のデータパターンとすることができる。さらに、受信機システム１６５０においてパイロットデータを使用して、チャネル応答を推定することができる。送信機システム１６１０に戻ると、各データストリームに対する多重化されたパイロットおよびコード化されたデータは、変調シンボルを提供するために、各それぞれのデータストリームに対して選択された特定の変調スキーム（例えば、ＢＰＳＫ、ＱＳＰＫ、Ｍ−ＰＳＫ、またはＭ−ＱＡＭ）に基づいて、変調（すなわち、シンボルマッピング）することができる。１つの例では、各データストリームに対するデータレート、コーディング、および変調は、プロセッサ１６３０上で実行される命令および／またはプロセッサ１６３０により提供される命令により、決定することができる。
【００７２】
次に、すべてのデータストリームに対する変調シンボルを、ＴＸプロセッサ１６２０に提供することができ、ＴＸプロセッサ１６２０は、（例えば、ＯＦＤＭに対する）変調シンボルをさらに処理することができる。その後、ＴＸ ＭＩＭＯプロセッサ１６２０は、ＮT台のトランシーバ１６２２ａないし１６２２ｔにＮT個の変調シンボルストリームを提供することができる。１つの例では、各トランシーバ１６２２は、それぞれのシンボルストリームを受け取って処理し、１つ以上のアナログ信号を提供することができる。その後、各トランシーバ１６２２は、アナログ信号をさらに調整し（例えば、増幅し、フィルタリングし、およびアップコンバートし）、ＭＩＭＯチャネルを通しての送信に適した変調信号を提供できる。したがって、その後、トランシーバ１６２２ａないし１６２２ｔからのＮT個の変調信号を、ＮT本のアンテナ１６２４ａないし１６２４ｔからそれぞれ送信することができる。
【００７３】
別の側面にしたがうと、送信された変調信号は、ＮR本のアンテナ１６５２ａないし１６５２ｒにより受信機システム１６５０において受信することができる。各アンテナ１６５２からの受信信号は、その後、それぞれのトランシーバ１６５４に提供することができる。１つの例では、各トランシーバ１６５４は、それぞれの受信信号を調整し（例えば、フィルタリングし、増幅し、およびダウンコンバートし）、調整した信号をデジタル化してサンプルを提供し、その後、サンプルを処理して、対応する「受信した」シンボルストリームを提供する。その後、ＲＸ ＭＩＭＯ／データプロセッサ１６６０が、ＮR個の受信したシンボルストリームをＮR台のトランシーバ１６５４から受け取って、特定の受信機処理技術に基づいて処理し、ＮT個の「検出した」シンボルストリームを提供する。１つの例では、各検出したシンボルストリームは、対応するデータストリームに対する送信された変調シンボルの推定であるシンボルを含むことができる。その後、ＲＸプロセッサ１６６０が、各検出したシンボルストリームを復調し、デインターリーブし、およびデコードすることにより、各シンボルストリームを少なくとも部分的に処理して、対応するデータストリームに対するトラフィックデータを復元できる。したがって、ＲＸプロセッサ１６６０による処理は、送信機システム１６１０においてＴＸ ＭＩＭＯプロセッサ１６２０およびＴＸデータプロセッサ１６１６により実行される処理と相補的とすることができる。ＲＸプロセッサ１６６０は、処理したシンボルストリームをデータシンク１６６４に付加的に提供することができる。
【００７４】
１つの側面にしたがうと、ＲＸプロセッサ１６６０により発生させたチャネル応答推定を使用して、受信機における空間／時間の処理を実行し、電力レベルを調節し、変調レートまたは変調スキームを変更し、および／または、他の適切なアクションを実行することができる。付加的に、ＲＸプロセッサ１６６０はさらに、例えば、検出したシンボルストリームの信号対ノイズおよび干渉比（ＳＮＲ）のようなチャネル特性を推定することができる。その後、ＲＸプロセッサ１６６０は、推定したチャネル特性をプロセッサ１６７０に提供することができる。１つの例では、ＲＸプロセッサ１６６０および／またはプロセッサ１６７０はさらに、システムに対する「動作」ＳＮＲの推定を導出することができる。その後、プロセッサ１６７０は、チャネル状態情報（ＣＳＩ）を提供し、チャネル状態情報（ＣＳＩ）は、通信リンクおよび／または受信データストリームに関する情報を含むことができる。この情報は、例えば、動作ＳＮＲを含むことができる。ＣＳＩは、その後、ＴＸデータプロセッサ１６１８により処理することができ、変調器１６８０により変調することができ、トランシーバ１６５４ａないし１６５４ｒにより調整することができ、および、送信機システム１６１０に返信することができる。加えて、受信機システム１６５０におけるデータソース１６１６は、ＴＸデータプロセッサ１６１８により処理されることになる付加的なデータを提供することができる。
【００７５】
送信機システム１６１０に戻ると、その後、受信機システム１６５０からの変調信号を、アンテナ１６２４により受信し、トランシーバ１６２２により調整し、復調器１６４０により復調し、および、ＲＸデータプロセッサ１６４２により処理して、受信機１６５０により報告されたＣＳＩを復元することができる。１つの例では、その後、報告されたＣＳＩは、プロセッサ１６３０に提供され、１つ以上のデータストリームに対して使用されることになる、データレートとともに、コーディングスキームおよび変調スキームを決定するために使用できる。その後、量子化および／または受信機システム１６５０に対する後の送信における使用のために、決定したコーディングスキームおよび変調スキームをトランシーバ１６２２に提供することができる。付加的におよび／または代替的に、報告されたＣＳＩをプロセッサ１６３０により使用して、ＴＸデータプロセッサ１６１４およびＴＸ ＭＩＭＯプロセッサ１６２０に対するさまざまな制御を発生させることができる。別の例では、ＲＸデータプロセッサ１６４２により処理されたＣＳＩおよび／または他の情報をデータシンク１６４４に提供することができる。
【００７６】
１つの例では、送信機システム１６１０におけるプロセッサ１６３０と受信機システム１６５０におけるプロセッサ１６７０とが、それらそれぞれのシステムにおける動作を命令する。付加的に、送信機システム１６１０におけるメモリ１６３２と受信機システム１６５０におけるメモリ１６７２とは、プロセッサ１６３０とプロセッサ１６７０とによりそれぞれ使用されるプログラムコードおよびデータのための記憶装置を提供することができる。さらに、受信機システム１６５０において、さまざまな処理技術を使用して、ＮR個の受信信号を処理し、ＮT個の送信シンボルストリームを検出することができる。これらの受信機処理技術は、空間および時空の受信機処理技術および／または“連続的なヌリング／等化および干渉消去”受信機処理技術を含むことができ、空間および時空の受信機処理技術は、等化技術としても呼ぶことができ、“連続的なヌリング／等化および干渉消去”受信機処理技術は、“連続的な干渉消去”受信機処理技術または“連続的な消去”受信機処理技術としても呼ぶことができる。
【００７７】
ここで説明した側面は、ハードウェアや、ソフトウェアや、ファームウェアや、ミドルウェアや、マイクロコードや、または、これらの何らかの組み合わせにより実現できることを理解すべきである。システムおよび／または方法が、ソフトウェアや、ファームウェアや、ミドルウェアまたはマイクロコードや、プログラムコードまたはコードセグメントで実現されるときに、記憶装置コンポーネントのような機械読取可能媒体中にこれらを記憶することができる。コードセグメントは、手順や、機能や、サブプログラムや、プログラムや、ルーチンや、サブルーチンや、モジュールや、ソフトウェアパッケージや、クラスや、あるいは、命令、データ構造、またはプログラムステートメントの何らかの組み合わせを表すことができる。コードセグメントは、情報や、データや、引数や、パラメータや、またはメモリコンテンツを、渡すおよび／または受け取ることにより、別のコードセグメントまたはハードウェア回路に結合することができる。メモリ共有、メッセージパッシング、トークンパッシング、ネットワーク送信等を含む何らかの適切な手段を使用して、情報、引数、パラメータ、データ等を渡し、転送し、または、送信することができる。
【００７８】
ソフトウェアのインプリメンテーションのために、ここで説明した機能を実行するモジュール（例えば、手順、関数等）により、ここで説明した技術を実現することができる。ソフトウェアコードは、メモリユニット中に記憶されて、プロセッサによって実行することができる。メモリユニットが、技術的に知られているようなさまざまな手段を介して、プロセッサに通信可能に結合することができる場合に、メモリユニットは、プロセッサの内部またはプロセッサの外部で実現することができる。
【００７９】
先に説明していることは、１つ以上の側面の例を含んでいる。当然、先に言及した側面を説明する目的のためにコンポーネントまたは方法論のすべての考えられる組み合わせを説明することは不可能であるが、当業者は、さまざまな側面の多くのさらなる組み合わせおよび置換が可能であることを認識できる。したがって、説明した側面は、添付の特許請求の範囲の精神および範囲内にあるすべてのこのような変更、修正およびバリエーションを含むことを意図している。さらに、用語「含む」が詳細な説明または特許請求の範囲のいずれかで使用される限り、このような用語は、請求項中で移行語として用いられるときに「具備する」が解釈されるように、用語「具備する」に類似する方法で包括的であることが意図されている。さらに、詳細な説明または特許請求の範囲のいずれかで使用される用語「または（あるいは）」は、「非排他的な、または（あるいは）」であることを意味する。
【図１】
2011530894.tif 000003
【図２】
2011530894.tif 000004
【図３】
2011530894.tif 000005
【図４】
2011530894.tif 000006
【図５】
2011530894.tif 000007
【図６】
2011530894.tif 000008
【図７】
2011530894.tif 000009
【図８】
2011530894.tif 000010
【図９】
2011530894.tif 000011
【図１０】
2011530894.tif 000012
【図１１】
2011530894.tif 000013
【図１２】
2011530894.tif 000014
【図１３】
2011530894.tif 000015
【図１４】
2011530894.tif 000016
【図１５】
2011530894.tif 000017
【図１６】
2011530894.tif 000018
【手続補正書】
【提出日】平成23年7月22日(2011.7.22)
【手続補正１】
【補正対象書類名】特許請求の範囲
【補正対象項目名】全文
【補正方法】変更
【補正の内容】
【特許請求の範囲】
【請求項１】
方法において、
アクセスポイントとのアクティブモード通信を確立することと、
前記アクティブモード通信の間に、前記アクセスポイントから周波数優先度リストを受信することと、
ページング信号を受信するための１つ以上の周波数を決定する際に、後で使用するために、前記周波数優先度リストを記憶することとを含む方法。
【請求項２】
前記周波数優先度リストを受信することは、無線リソース制御（ＲＲＣ）レイヤメッセージ中で、前記アクセスポイントから前記周波数優先度リストを受信することを含む請求項１記載の方法。
【請求項３】
前記ＲＲＣレイヤメッセージ中で前記周波数優先度リストを受信することは、ＲＲＣレイヤ接続再構成メッセージ中で、前記アクセスポイントから前記周波数優先度リストを受信することを含む請求項２記載の方法。
【請求項４】
前記周波数優先度リストを受信することは、関係する優先度およびレイヤタイプを持つ周波数のリストを含む前記周波数優先度リストを受信することを含む請求項１記載の方法。
【請求項５】
前記周波数優先度リストを受信した後に、前記アクティブモード通信からアイドルモード通信へと切り替えることをさらに含む請求項１記載の方法。
【請求項６】
関係する優先度およびレイヤタイプに少なくとも部分的に基づいて、１つ以上のページング信号に対して、前記周波数優先度リスト中の周波数を監視することをさらに含む請求項４記載の方法。
【請求項７】
少なくとも１つのプロセッサと、前記少なくとも１つのプロセッサに結合されているメモリとを具備するワイヤレス通信装置において、
前記少なくとも１つのプロセッサは、
アクティブモードにおいて、アクセスポイントと通信するようにと、
前記アクティブモードで通信している間に、前記アクセスポイントから周波数優先度リストを受信するようにと、
ページング信号を受信するための１つ以上の周波数を決定する際に、後で利用するために、前記周波数優先度リストを記憶させるように構成されているワイヤレス通信装置。
【請求項８】
前記少なくとも１つのプロセッサは、無線リソース制御（ＲＲＣ）レイヤメッセージ中で、前記周波数優先度リストを受信する請求項７記載のワイヤレス通信装置。
【請求項９】
前記少なくとも１つのプロセッサは、ＲＲＣ再構成メッセージ中で、前記周波数優先度リストを受信する請求項８記載のワイヤレス通信装置。
【請求項１０】
前記周波数優先度リストは、対応する優先度およびレイヤタイプとともに複数の周波数を含む請求項７記載のワイヤレス通信装置。
【請求項１１】
前記少なくとも１つのプロセッサは、前記周波数優先度リストを受信した後に、前記アクティブモードからアイドル通信モードへと切り替えるようにさらに構成されている請求項７記載のワイヤレス通信装置。
【請求項１２】
装置において、
アクティブモードにおいて、アクセスポイントと通信する手段と、
前記アクティブモードにおいて、前記アクセスポイントから周波数優先度リストを受信し、アイドル通信モードにおいて後で利用するために、前記リストを記憶する手段とを具備する装置。
【請求項１３】
前記アクセスポイントから前記周波数優先度リストを受信する手段は、無線リソース制御（ＲＲＣ）レイヤメッセージ中で、前記アクセスポイントから前記周波数優先度リストを受信する請求項１２記載の装置。
【請求項１４】
前記ＲＲＣレイヤメッセージは、ＲＲＣ接続再構成メッセージである請求項１３記載の装置。
【請求項１５】
前記周波数優先度リストは、１つ以上の周波数と、関係する優先度およびレイヤタイプとを含む請求項１２記載の装置。
【請求項１６】
前記アクセスポイントと通信する手段は、前記周波数優先度リストを受信した後に、前記アクティブモードから前記アイドル通信モードへと切り替える請求項１２記載の装置。
【請求項１７】
コンピュータ読取可能記憶媒体を具備するコンピュータプログラムプロダクトにおいて、
前記コンピュータ読取可能記憶媒体は、
アクセスポイントとのアクティブモード通信を前記少なくとも１つのコンピュータに確立させるためのコードと、
前記アクティブモード通信の間に、前記少なくとも１つのコンピュータに、前記アクセスポイントから周波数優先度リストを受信させるためのコードと、
ページング信号を受信するための１つ以上の周波数を決定する際に、後で使用するために、前記周波数優先度リストを前記少なくとも１つのコンピュータに記憶させるためのコードとを含むコンピュータプログラムプロダクト。
【請求項１８】
前記少なくとも１つのコンピュータに前記周波数優先度リストを受信させるためのコードは、無線リソース制御（ＲＲＣ）レイヤメッセージ中で、前記アクセスポイントから前記周波数優先度リストを受信する請求項１７記載のコンピュータプログラムプロダクト。
【請求項１９】
前記ＲＲＣレイヤメッセージ中で、前記少なくとも１つのコンピュータに前記周波数優先度リストを受信させるためのコードは、ＲＲＣレイヤ接続再構成メッセージ中で、前記周波数優先度リストを受信する請求項１８記載のコンピュータプログラムプロダクト。
【請求項２０】
前記周波数優先度リストは、関係する優先度およびレイヤタイプを持つ周波数のリストを含む請求項１７記載のコンピュータプログラムプロダクト。
【請求項２１】
装置において、
アクティブモードにおいて、アクセスポイントと通信する通信モードコンポーネントと、
前記アクティブモードにおいて、前記アクセスポイントから周波数優先度リストを受信し、アイドル通信モードにおいて後で利用するために、前記リストを記憶する周波数優先度リストコンポーネントとを具備する装置。
【請求項２２】
前記周波数優先度リストコンポーネントは、無線リソース制御（ＲＲＣ）レイヤメッセージ中で、前記アクセスポイントから前記周波数優先度リストを受信する請求項２１記載の装置。
【請求項２３】
前記ＲＲＣレイヤメッセージは、ＲＲＣ接続再構成メッセージである請求項２２記載の装置。
【請求項２４】
前記周波数優先度リストは、１つ以上の周波数と、関係する優先度およびレイヤタイプとを含む請求項２１記載の装置。
【請求項２５】
方法において、
アクティブモードで通信している移動体デバイスとの接続を確立することと、
前記移動体デバイスに関連する周波数優先度リストを受信することと、
前記移動体デバイスがアクティブモードであるときに、接続再構成メッセージ中で、前記移動体デバイスに前記周波数優先度リストを送信することとを含む方法。
【請求項２６】
前記周波数優先度リストを送信することは、無線リソース制御（ＲＲＣ）レイヤメッセージ中で、前記移動体デバイスに前記周波数優先度リストを送信することを含む請求項２５記載の方法。
【請求項２７】
前記周波数優先度リストを受信することは、移動性管理エンティティ（ＭＭＥ）または他のコアネットワークコンポーネントから、前記周波数優先度リストを受信することを含む請求項２５記載の方法。
【請求項２８】
前記周波数優先度リストを受信することは、前記移動体デバイス、移動性管理エンティティ（ＭＭＥ）、または他のコアネットワークコンポーネントから受信した１つ以上のパラメータに少なくとも部分的に基づいて、前記周波数優先度リストを発生させることを含む請求項２５記載の方法。
【請求項２９】
前記周波数優先度リストを受信することは、構成から前記周波数優先度リストを取得することを含む請求項２５記載の方法。
【請求項３０】
前記周波数優先度リスト中の周波数を前記周波数にわたって動作しているアクセスポイントのタイプに関係付けるレイヤタイプを、前記周波数優先度リスト中に挿入することをさらに含む請求項２５記載の方法。
【請求項３１】
移動性管理エンティティ（ＭＭＥ）または他のコアネットワークコンポーネントから、前記レイヤタイプを受信することをさらに含む請求項３０記載の方法。
【請求項３２】
少なくとも１つのプロセッサと、前記少なくとも１つのプロセッサに結合されているメモリとを具備するワイヤレス通信装置において、
前記少なくとも１つのプロセッサは、
アクティブモードで動作している移動体デバイスと通信するようにと、
前記移動体デバイスに関連する周波数優先度リストを取得するようにと、
前記移動体デバイスがアクティブモードであるときに、接続再構成メッセージ中で、前記移動体デバイスに前記周波数優先度リストを送信するように構成されているワイヤレス通信装置。
【請求項３３】
前記少なくとも１つのプロセッサは、無線リソース制御（ＲＲＣ）レイヤメッセージ中で、前記移動体デバイスに前記周波数優先度リストを送信する請求項３２記載のワイヤレス通信装置。
【請求項３４】
前記少なくとも１つのプロセッサは、移動性管理エンティティ（ＭＭＥ）または他のコアネットワークコンポーネントから、前記移動体デバイスに関連する前記周波数優先度リストを取得する請求項３２記載のワイヤレス通信装置。
【請求項３５】
前記少なくとも１つのプロセッサは、前記移動体デバイス、移動性管理エンティティ（ＭＭＥ）、または他のコアネットワークコンポーネントから受信した１つ以上のパラメータに少なくとも部分的に基づいて、前記周波数優先度リストを発生させることにより、少なくとも部分的に前記周波数優先度リストを取得する請求項３２記載のワイヤレス通信装置。
【請求項３６】
前記少なくとも１つのプロセッサは、構成から前記周波数優先度リストを取得する請求項３２記載のワイヤレス通信装置。
【請求項３７】
装置において、
移動体デバイスとのアクティブモード通信を確立する手段と、
前記移動体デバイスに関連する周波数優先度リストを取得する手段と、
前記移動体デバイスがアクティブモードであるときに、接続再構成メッセージ中で、前記移動体デバイスに前記周波数優先度リストを送信する手段とを具備する装置。
【請求項３８】
前記周波数優先度リストを送信する手段は、無線リソース制御（ＲＲＣ）レイヤメッセージ中で、前記移動体デバイスに前記周波数優先度リストを送信する請求項３７記載の装置。
【請求項３９】
前記周波数優先度リストを取得する手段は、移動性管理エンティティ（ＭＭＥ）または他のコアネットワークコンポーネントから、前記周波数優先度リストを受信する請求項３７記載の装置。
【請求項４０】
前記周波数優先度リストを取得する手段は、前記移動体デバイス、移動性管理エンティティ（ＭＭＥ）、または他のコアネットワークコンポーネントから受信した１つ以上のパラメータに少なくとも部分的に基づいて、前記リストを発生させる請求項３７記載の装置。
【請求項４１】
前記周波数優先度リストを取得する手段は、構成から前記周波数優先度リストを受信する請求項３７記載の装置。
【請求項４２】
コンピュータ読取可能記憶媒体を具備するコンピュータプログラムプロダクトにおいて、
前記コンピュータ読取可能記憶媒体は、
アクティブモードで通信している移動体デバイスとの接続を少なくとも１つのコンピュータに確立させるためのコードと、
前記移動体デバイスに関連する周波数優先度リストを前記少なくとも１つのコンピュータに受信させるためのコードと、
前記移動体デバイスがアクティブモードであるときに、前記少なくとも１つのコンピュータに、接続再構成メッセージ中で、前記移動体デバイスに向けて前記周波数優先度リストを送信させるためのコードとを含むコンピュータプログラムプロダクト。
【請求項４３】
前記接続再構成メッセージは、無線リソース制御（ＲＲＣ）レイヤメッセージである請求項４２記載のコンピュータプログラムプロダクト。
【請求項４４】
前記周波数優先度リストを前記少なくとも１つのコンピュータに受信させるためのコードは、移動性管理エンティティ（ＭＭＥ）または他のコアネットワークコンポーネントから、前記周波数優先度リストを受信する請求項４２記載のコンピュータプログラムプロダクト。
【請求項４５】
前記周波数優先度リストを前記少なくとも１つのコンピュータに受信させるためのコードは、前記移動体デバイス、移動性管理エンティティ（ＭＭＥ）、または他のコアネットワークコンポーネントから受信した１つ以上のパラメータに少なくとも部分的に基づいて、前記周波数優先度リストを発生させる請求項４２記載のコンピュータプログラムプロダクト。
【請求項４６】
前記周波数優先度リストを前記少なくとも１つのコンピュータに受信させるためのコードは、構成から前記周波数優先度リストを受信する請求項４２記載のコンピュータプログラムプロダクト。
【請求項４７】
装置において、
移動体デバイスとのアクティブモード通信を初期化する無線リソース制御（ＲＲＣ）接続確立コンポーネントと、
前記移動体デバイスに関連する周波数優先度リストを取得する周波数優先度リスト管理コンポーネントと、
前記移動体デバイスがアクティブモードであるときに、接続再構成メッセージ中で、前記移動体デバイスに前記周波数優先度リストを送信する周波数優先度リスト提供コンポーネントとを具備する装置。
【請求項４８】
前記周波数優先度リスト提供コンポーネントは、無線リソース制御（ＲＲＣ）レイヤメッセージ中で、前記周波数優先度リストを送信する請求項４７記載の装置。
【請求項４９】
周波数優先度リスト管理コンポーネントは、移動性管理エンティティ（ＭＭＥ）または他のコアネットワークコンポーネントから、前記周波数優先度リストを受信する請求項４７記載の装置。
【請求項５０】
前記周波数優先度リスト管理コンポーネントは、前記移動体デバイス、前記移動性管理エンティティ（ＭＭＥ）、または他のコアネットワークコンポーネントから受信した１つ以上のパラメータに少なくとも部分的に基づいて、前記リストを発生させる請求項４７記載の装置。
【手続補正２】
【補正対象書類名】明細書
【補正対象項目名】００７９
【補正方法】変更
【補正の内容】
【００７９】
先に説明していることは、１つ以上の側面の例を含んでいる。当然、先に言及した側面を説明する目的のためにコンポーネントまたは方法論のすべての考えられる組み合わせを説明することは不可能であるが、当業者は、さまざまな側面の多くのさらなる組み合わせおよび置換が可能であることを認識できる。したがって、説明した側面は、添付の特許請求の範囲の精神および範囲内にあるすべてのこのような変更、修正およびバリエーションを含むことを意図している。さらに、用語「含む」が詳細な説明または特許請求の範囲のいずれかで使用される限り、このような用語は、請求項中で移行語として用いられるときに「具備する」が解釈されるように、用語「具備する」に類似する方法で包括的であることが意図されている。さらに、詳細な説明または特許請求の範囲のいずれかで使用される用語「または（あるいは）」は、「非排他的な、または（あるいは）」であることを意味する。
以下に、本願出願時の特許請求の範囲に記載された発明を付記する。
［１］方法において、
アクセスポイントとのアクティブモード通信を確立することと、
前記アクティブモード通信の間に、前記アクセスポイントから周波数優先度リストを受信することと、
ページング信号を受信するための１つ以上の周波数を決定する際に、後で使用するために、前記周波数優先度リストを記憶することとを含む方法。
［２］前記周波数優先度リストを受信することは、無線リソース制御（ＲＲＣ）レイヤメッセージ中で、前記アクセスポイントから前記周波数優先度リストを受信することを含む［１］に記載の方法。
［３］前記ＲＲＣレイヤメッセージ中で前記周波数優先度リストを受信することは、ＲＲＣレイヤ接続再構成メッセージ中で、前記アクセスポイントから前記周波数優先度リストを受信することを含む［２］に記載の方法。
［４］前記周波数優先度リストを受信することは、関係する優先度およびレイヤタイプを持つ周波数のリストを含む前記周波数優先度リストを受信することを含む［１］に記載の方法。
［５］前記アクティブモード通信からアイドルモード通信へと切り替えることをさらに含む［４］に記載の方法。
［６］関係する優先度およびレイヤタイプに少なくとも部分的に基づいて、１つ以上のページング信号に対して、前記周波数優先度リスト中の周波数を監視することをさらに含む［５］に記載の方法。
［７］少なくとも１つのプロセッサと、前記少なくとも１つのプロセッサに結合されているメモリとを具備するワイヤレス通信装置において、
前記少なくとも１つのプロセッサは、
アクティブモードにおいて、アクセスポイントと通信するようにと、
前記アクティブモードで通信している間に、前記アクセスポイントから周波数優先度リストを受信するようにと、
ページング信号を受信するための１つ以上の周波数を決定する際に、後で利用するために、前記周波数優先度リストを記憶させるように構成されているワイヤレス通信装置。
［８］前記少なくとも１つのプロセッサは、無線リソース制御（ＲＲＣ）レイヤメッセージ中で、前記周波数優先度リストを受信する［７］に記載のワイヤレス通信装置。
［９］前記少なくとも１つのプロセッサは、ＲＲＣ再構成メッセージ中で、前記周波数優先度リストを受信する［８］に記載のワイヤレス通信装置。
［１０］前記周波数優先度リストは、対応する優先度およびレイヤタイプとともに複数の周波数を含む［７］に記載のワイヤレス通信装置。
［１１］前記少なくとも１つのプロセッサは、前記アクティブモードからアイドル通信モードへと切り替えるようにさらに構成されている［１０］に記載のワイヤレス通信装置。
［１２］装置において、
アクティブモードにおいて、アクセスポイントと通信する手段と、
前記アクティブモードにおいて、前記アクセスポイントから周波数優先度リストを受信し、アイドル通信モードにおいて後で利用するために、前記リストを記憶する手段とを具備する装置。
［１３］前記アクセスポイントから前記周波数優先度リストを受信する手段は、無線リソース制御（ＲＲＣ）レイヤメッセージ中で、前記アクセスポイントから前記周波数優先度リストを受信する［１２］に記載の装置。
［１４］前記ＲＲＣレイヤメッセージは、ＲＲＣ接続再構成メッセージである［１３］に記載の装置。
［１５］前記周波数優先度リストは、１つ以上の周波数と、関係する優先度およびレイヤタイプとを含む［１２］に記載の装置。
［１６］前記アクセスポイントと通信する手段は、前記アクティブモードから前記アイドル通信モードへと切り替える［１５］に記載の装置。
［１７］コンピュータ読取可能媒体を具備するコンピュータプログラムプロダクトにおいて、
前記コンピュータ読取可能媒体は、
アクセスポイントとのアクティブモード通信を前記少なくとも１つのコンピュータに確立させるためのコードと、
前記アクティブモード通信の間に、前記少なくとも１つのコンピュータに、前記アクセスポイントから周波数優先度リストを受信させるためのコードと、
ページング信号を受信するための１つ以上の周波数を決定する際に、後で使用するために、前記周波数優先度リストを前記少なくとも１つのコンピュータに記憶させるためのコードとを含むコンピュータプログラムプロダクト。
［１８］前記少なくとも１つのコンピュータに前記周波数優先度リストを受信させるためのコードは、無線リソース制御（ＲＲＣ）レイヤメッセージ中で、前記アクセスポイントから前記周波数優先度リストを受信する［１７］に記載のコンピュータプログラムプロダクト。
［１９］前記ＲＲＣレイヤメッセージ中で、前記少なくとも１つのコンピュータに前記周波数優先度リストを受信させるためのコードは、ＲＲＣレイヤ接続再構成メッセージ中で、前記周波数優先度リストを受信する［１８］に記載のコンピュータプログラムプロダクト。
［２０］前記周波数優先度リストは、関係する優先度およびレイヤタイプを持つ周波数のリストを含む［１７］に記載のコンピュータプログラムプロダクト。
［２１］装置において、
アクティブモードにおいて、アクセスポイントと通信する通信モードコンポーネントと、
前記アクティブモードにおいて、前記アクセスポイントから周波数優先度リストを受信し、アイドル通信モードにおいて後で利用するために、前記リストを記憶する周波数優先度リストコンポーネントとを具備する装置。
［２２］前記周波数優先度リストコンポーネントは、無線リソース制御（ＲＲＣ）レイヤメッセージ中で、前記アクセスポイントから前記周波数優先度リストを受信する［２１］に記載の装置。
［２３］前記ＲＲＣレイヤメッセージは、ＲＲＣ接続再構成メッセージである［２２］に記載の装置。
［２４］前記周波数優先度リストは、１つ以上の周波数と、関係する優先度およびレイヤタイプとを含む［２１］に記載の装置。
［２５］方法において、
アクティブモードで通信している移動体デバイスとの接続を確立することと、
前記移動体デバイスに関連する周波数優先度リストを受信することと、
接続再構成メッセージ中で、前記移動体デバイスに前記周波数優先度リストを送信することとを含む方法。
［２６］前記周波数優先度リストを送信することは、無線リソース制御（ＲＲＣ）レイヤメッセージ中で、前記移動体デバイスに前記周波数優先度リストを送信することを含む［２５］に記載の方法。
［２７］前記周波数優先度リストを受信することは、移動性管理エンティティ（ＭＭＥ）または他のコアネットワークコンポーネントから、前記周波数優先度リストを受信することを含む［２５］に記載の方法。
［２８］前記周波数優先度リストを受信することは、前記移動体デバイス、移動性管理エンティティ（ＭＭＥ）、または他のコアネットワークコンポーネントから受信した１つ以上のパラメータに少なくとも部分的に基づいて、前記周波数優先度リストを発生させることを含む［２５］に記載の方法。
［２９］前記周波数優先度リストを受信することは、構成から前記周波数優先度リストを取得することを含む［２５］に記載の方法。
［３０］前記周波数優先度リスト中の周波数を前記周波数にわたって動作しているアクセスポイントのタイプに関係付けるレイヤタイプを、前記周波数優先度リスト中に挿入することをさらに含む［２５］に記載の方法。
［３１］移動性管理エンティティ（ＭＭＥ）または他のコアネットワークコンポーネントから、前記レイヤタイプを受信することをさらに含む［３０］に記載の方法。
［３２］少なくとも１つのプロセッサと、前記少なくとも１つのプロセッサに結合されているメモリとを具備するワイヤレス通信装置において、
前記少なくとも１つのプロセッサは、
アクティブモードで動作している移動体デバイスと通信するようにと、
前記移動体デバイスに関連する周波数優先度リストを取得するようにと、
接続再構成メッセージ中で、前記移動体デバイスに前記周波数優先度リストを送信するように構成されているワイヤレス通信装置。
［３３］前記少なくとも１つのプロセッサは、無線リソース制御（ＲＲＣ）レイヤメッセージ中で、前記移動体デバイスに前記周波数優先度リストを送信する［３２］に記載のワイヤレス通信装置。
［３４］前記少なくとも１つのプロセッサは、移動性管理エンティティ（ＭＭＥ）または他のコアネットワークコンポーネントから、前記移動体デバイスに関連する前記周波数優先度リストを取得する［３２］に記載のワイヤレス通信装置。
［３５］前記少なくとも１つのプロセッサは、前記移動体デバイス、移動性管理エンティティ（ＭＭＥ）、または他のコアネットワークコンポーネントから受信した１つ以上のパラメータに少なくとも部分的に基づいて、前記周波数優先度リストを発生させることにより、少なくとも部分的に前記周波数優先度リストを取得する［３２］に記載のワイヤレス通信装置。
［３６］前記少なくとも１つのプロセッサは、構成から前記周波数優先度リストを取得する［３２］に記載のワイヤレス通信装置。
［３７］装置において、
移動体デバイスとのアクティブモード通信を確立する手段と、
前記移動体デバイスに関連する周波数優先度リストを取得する手段と、
接続再構成メッセージ中で、前記移動体デバイスに前記周波数優先度リストを送信する手段とを具備する装置。
［３８］前記周波数優先度リストを送信する手段は、無線リソース制御（ＲＲＣ）レイヤメッセージ中で、前記移動体デバイスに前記周波数優先度リストを送信する［３７］に記載の装置。
［３９］前記周波数優先度リストを取得する手段は、移動性管理エンティティ（ＭＭＥ）または他のコアネットワークコンポーネントから、前記周波数優先度リストを受信する［３７］に記載の装置。
［４０］前記周波数優先度リストを取得する手段は、前記移動体デバイス、移動性管理エンティティ（ＭＭＥ）、または他のコアネットワークコンポーネントから受信した１つ以上のパラメータに少なくとも部分的に基づいて、前記リストを発生させる［３７］に記載の装置。
［４１］前記周波数優先度リストを取得する手段は、構成から前記周波数優先度リストを受信する［３７］に記載の装置。
［４２］コンピュータ読取可能媒体を具備するコンピュータプログラムプロダクトにおいて、
前記コンピュータ読取可能媒体は、
アクティブモードで通信している移動体デバイスとの接続を少なくとも１つのコンピュータに確立させるためのコードと、
前記移動体デバイスに関連する周波数優先度リストを前記少なくとも１つのコンピュータに受信させるためのコードと、
前記少なくとも１つのコンピュータに、接続再構成メッセージ中で、前記移動体デバイスに向けて前記周波数優先度リストを送信させるためのコードとを含むコンピュータプログラムプロダクト。
［４３］前記接続再構成メッセージは、無線リソース制御（ＲＲＣ）レイヤメッセージである［４２］に記載のコンピュータプログラムプロダクト。
［４４］前記周波数優先度リストを前記少なくとも１つのコンピュータに受信させるためのコードは、移動性管理エンティティ（ＭＭＥ）または他のコアネットワークコンポーネントから、前記周波数優先度リストを受信する［４２］に記載のコンピュータプログラムプロダクト。
［４５］前記周波数優先度リストを前記少なくとも１つのコンピュータに受信させるためのコードは、前記移動体デバイス、移動性管理エンティティ（ＭＭＥ）、または他のコアネットワークコンポーネントから受信した１つ以上のパラメータに少なくとも部分的に基づいて、前記周波数優先度リストを発生させる［４２］に記載のコンピュータプログラムプロダクト。
［４６］前記周波数優先度リストを前記少なくとも１つのコンピュータに受信させるためのコードは、構成から前記周波数優先度リストを受信する［４２］に記載のコンピュータプログラムプロダクト。
［４７］装置において、
移動体デバイスとのアクティブモード通信を初期化する無線リソース制御（ＲＲＣ）接続確立コンポーネントと、
前記移動体デバイスに関連する周波数優先度リストを取得する周波数優先度リスト管理コンポーネントと、
接続再構成メッセージ中で、前記移動体デバイスに前記周波数優先度リストを送信する周波数優先度リスト提供コンポーネントとを具備する装置。
［４８］前記周波数優先度リスト提供コンポーネントは、無線リソース制御（ＲＲＣ）レイヤメッセージ中で、前記周波数優先度リストを送信する［４７］に記載の装置。
［４９］周波数優先度リスト管理コンポーネントは、移動性管理エンティティ（ＭＭＥ）または他のコアネットワークコンポーネントから、前記周波数優先度リストを受信する［４７］に記載の装置。
［５０］前記周波数優先度リスト管理コンポーネントは、前記移動体デバイス、前記移動性管理エンティティ（ＭＭＥ）、または他のコアネットワークコンポーネントから受信した１つ以上のパラメータに少なくとも部分的に基づいて、前記リストを発生させる［４７］に記載の装置。
【国際調査報告】
2011530894.tif 000019
2011530894.tif 000020
2011530894.tif 000021